(57)【要約】      （修正有）【課題】側面視認性を正面視認性に近づけながらも開口率の低下なしに２つの副画素電極間の境界部の液晶分子が制御可能であり、輝度が増大される液晶表示装置を提供する。【解決手段】第１の基板上に形成され、互いに分離されている第１の副画素電極及び第２の副画素電極を有する画素電極と、前記第１の基板と向かい合う第２の基板上に形成される共通電極と、前記第１及び第２の基板との間に配設される液晶層とを備え、前記第１の副画素電極は、第１の板状部分と、それから延出する複数の第１の枝電極とを備え、前記第２の副画素電極は、前記第１の枝電極の周りを取り囲むように形成されている第２の板状部分と、それから延出する複数の第２の枝電極とを備え、前記第１の副画素電極に印加される第１の電圧と前記共通電極に印加される共通電圧との差分は、前記第２の副画素電極に印加される第２の電圧と前記共通電圧との差分よりも大きい液晶表示装置。【選択図】図１
2015210526.tif 000002
【特許請求の範囲】
【請求項１】
第１の基板と、
前記第１の基板の上に形成されており、互いに分離されている第１の副画素電極及び第２の副画素電極を有する画素電極と、
前記第１の基板と向かい合う第２の基板と、
前記第２の基板の上に形成されている共通電極と、
前記第１の基板と前記第２の基板との間に配設される液晶層と、
を備え、
前記第１の副画素電極は、第１の板状部分と、前記第１の板状部分から延出する複数の第１の枝電極と、を備え、
前記第２の副画素電極は、前記第１の枝電極の周りを取り囲むように形成されている第２の板状部分と、前記第２の板状部分から延出する複数の第２の枝電極と、を備え、
前記第１の副画素電極に印加される第１の電圧と前記共通電極に印加される共通電圧との差分は、前記第２の副画素電極に印加される第２の電圧と前記共通電圧との差分よりも大きい液晶表示装置。
【請求項２】
前記第１の副画素電極の前記第１の板状部分は、ひし形の平面状を有し、
前記第２の副画素電極の前記第２の板状部分は、複数の四角形が合わせられた平面状を有する請求項１に記載の液晶表示装置。
【請求項３】
前記第１の副画素電極の前記複数の第１の枝電極は、異なる方向に延びている第１の微細枝部と、第２の微細枝部と、第３の微細枝部と、第４の微細枝部とを備え、
前記第２の副画素電極の前記複数の第２の枝電極は、異なる方向に延びている第５の微細枝部と、第６の微細枝部と、第７の微細枝部と、第８の微細枝部とを備える請求項２に記載の液晶表示装置。
【請求項４】
前記複数の第１の枝電極及び前記複数の第２の枝電極のうちのいずれか一方が延びている方向と平行な方向を基準として測定した前記第１の副画素電極と前記第２の副画素電極との間の間隔が４μｍ以下である場合、前記第１の副画素電極に印加される電圧に対する第２の副画素電極に印加される電圧の割合は、０．８３以下である請求項１に記載の液晶表示装置。
【請求項５】
前記複数の第１の枝電極及び前記複数の第２の枝電極のうちのいずれか一方が延びている方向と平行な方向を基準として測定した前記第１の副画素電極と前記第２の副画素電極との間の間隔が４μｍよりも大きく且つ４．５μｍ以下である場合、前記第１の副画素電極に印加される電圧に対する第２の副画素電極に印加される電圧の割合は、０．７５以下である請求項１に記載の液晶表示装置。
【請求項６】
前記複数の第１の枝電極及び前記複数の第２の枝電極のうちのいずれか一方が延びている方向と平行な方向を基準として測定した前記第１の副画素電極と前記第２の副画素電極との間の間隔が５μｍ以上である場合、前記第１の副画素電極に印加される電圧に対する第２の副画素電極に印加される電圧の割合は、０．７以下である請求項１に記載の液晶表示装置。
【請求項７】
前記複数の第１の枝電極及び前記複数の第２の枝電極のうちのいずれか一方が延びている方向と平行な方向を基準として測定した前記第１の画素電極の前記第１の板状部分の全体幅の１／２は、２５μｍ以下である請求項１に記載の液晶表示装置。
【請求項８】
前記複数の第１の枝電極及び前記複数の第２の枝電極のうちのいずれか一方が延びている方向と平行な方向を基準として測定した前記第２の画素電極の前記第２の板状部分の幅は、２５μｍ以下である請求項７に記載の液晶表示装置。
【請求項９】
前記複数の第１の枝電極及び前記複数の第２の枝電極の長さは、２５μｍ以下である請求項７に記載の液晶表示装置。
【請求項１０】
前記第１の副画素電極の前記第１の板状部分の周縁は、前記ゲート線と４５°又は１３５°の角度をなすか、あるいは、４５°よりも大きいかあるいは１３５°よりも小さい角度をなす請求項１に記載の液晶表示装置。
【請求項１１】
前記第２の副画素電極の前記第２の板状部分の周縁は、前記ゲート線と４５°又は１３５°の角度をなすか、あるいは、４５°よりも大きいかあるいは１３５°よりも小さい角度をなす請求項１０に記載の液晶表示装置。
【請求項１２】
前記第１の副画素電極と前記第２の副画素電極との間の境界部は、前記ゲート線と４５°又は１３５°の角度をなすか、あるいは、４５°よりも大きいかあるいは１３５°よりも小さい角度をなす請求項１１に記載の液晶表示装置。
【請求項１３】
前記第１の副画素電極の前記第１の枝電極は、前記ゲート線と４５°又は１３５°の角度をなすか、あるいは、４５°よりも小さいかあるいは１３５°よりも小さい角度をなす請求項１２に記載の液晶表示装置。
【請求項１４】
前記第２の副画素電極の前記第２の板状部分の周縁は、前記ゲート線と４５°又は１３５°の角度をなすか、あるいは、４５°よりも大きいかあるいは１３５°よりも小さい角度をなす請求項１に記載の液晶表示装置。
【請求項１５】
前記第１の副画素電極と前記第２の副画素電極との間の境界部は、前記ゲート線と４５°又は１３５°の角度をなすか、あるいは、４５°よりも大きいかあるいは１３５°よりも小さい角度をなす請求項１４に記載の液晶表示装置。
【請求項１６】
前記第１の副画素電極の前記第１の枝電極は、前記ゲート線と４５°又は１３５°の角度をなすか、あるいは、４５°よりも小さいかあるいは１３５°よりも小さい角度をなす請求項１５に記載の液晶表示装置。
【請求項１７】
前記第１の副画素電極と前記第２の副画素電極との間の境界部は、前記ゲート線と４５°又は１３５°の角度をなすか、あるいは、４５°よりも大きいかあるいは１３５°よりも小さい角度をなす請求項１に記載の液晶表示装置。
【請求項１８】
前記第１の副画素電極の前記第１の枝電極は、前記ゲート線と４５°又は１３５°の角度をなすか、あるいは、４５°よりも小さいかあるいは１３５°よりも小さい角度をなす請求項１７に記載の液晶表示装置。
【請求項１９】
前記第１の副画素電極の前記第１の枝電極は、前記ゲート線と４５°又は１３５°の角度をなすか、あるいは、４５°よりも小さいかあるいは１３５°よりも小さい角度をなす請求項１に記載の液晶表示装置。
【請求項２０】
前記第２の板状部分の幅は、前記第１の板状部分の幅よりも狭い請求項１に記載の液晶表示装置。
【請求項２１】
前記第２の板状部分と隣り合う前記第１の枝電極の先端の幅は、前記第１の枝電極の他の部分の幅よりも広い請求項１に記載の液晶表示装置。
【請求項２２】
前記第２の板状部分と前記第２の枝電極との間の境界部における前記第２の枝電極の幅は、前記第２の枝電極の他の部分の幅よりも狭い請求項２１に記載の液晶表示装置。
【請求項２３】
前記第１の副画素電極は、前記第１の枝電極を備えず、前記第１の板状部分のみよりなる請求項１に記載の液晶表示装置。
【請求項２４】
前記画素電極の下に配設される絶縁膜をさらに備え、
前記絶縁膜は、前記第１の副画素電極の下に配設される第１の部分と、前記第２の副画素電極の下に配設される第２の部分と、を備え、
前記第１の部分の高さは、前記第２の部分の高さよりも高い請求項１に記載の液晶表示装置。
【請求項２５】
前記第１の部分と前記第２の部分との間の境界は、前記第２の画素電極の前記第２の板状部分と重なり合うか、あるいは、前記第１の画素電極の前記第１の枝電極と重なり合う請求項２４に記載の液晶表示装置。
【請求項２６】
前記第１の部分と前記第２の部分との間の境界は、前記第２の画素電極の前記第２の板状部分と重なり合い、
前記第２の部分は、前記基板となす勾配が異なる複数の領域を備える請求項２４に記載の液晶表示装置。
【発明の詳細な説明】
【技術分野】
【０００１】
本発明は、液晶表示装置に関する。
【背景技術】
【０００２】
液晶表示装置は、現在最も幅広く用いられている平板表示装置の１つであり、画素電極と共通電極など電場生成電極（ｆｉｅｌｄ ｇｅｎｅｒａｔｉｎｇ ｅｌｅｃｔｒｏｄｅ）が形成されている２枚のパネルと、これらの間に挟持されている液晶層と、を備える。液晶表示装置は、電場生成電極に電圧を印加して液晶層に電場を生成し、これにより液晶層の液晶分子の方向を決定し、入射光の偏光を制御することにより映像を表示する。
【０００３】
液晶表示装置の中でも、電場が印加されていない状態で液晶分子をその長軸がパネルに対して垂直をなすように配列した垂直配向方式（ｖｅｒｔｉｃａｌｌｙ ａｌｉｇｎｅｄ ｍｏｄｅ）液晶表示装置が開発されている。
【０００４】
垂直配向方式の液晶表示装置においては、広視野角の確保が重要な問題であり、このために、電場生成電極に微細スリットなどの切欠部を形成して複数のドメインを形成するなどの方法を用いる。
【０００５】
画素電極に微細スリットを形成して、複数の枝電極を持たせる方法の場合、各ドメインの中心領域においても液晶分子が制御可能であるが、液晶表示装置の開口率が減少してしまう。
【０００６】
一方、垂直配向方式の液晶表示装置の場合には、側面視認性を正面視認性に近づけるために、１つの画素を２つの副画素に分割し、２つの副画素の電圧を異ならせて印加することにより透過率を異ならせる方法が提示されている。
【０００７】
このように、１つの画素を２つの副画素に分割する場合、２つの副画素間の境界部において液晶分子の挙動が不規則になり、２つの副画素間の境界部において透過率が低下する。
【発明の概要】
【発明が解決しようとする課題】
【０００８】
本発明が解決しようとする技術的課題は、側面視認性を正面視認性に近づけながらも液晶表示装置の開口率の低下なしに２つの副画素電極間の境界部の液晶分子が制御可能な液晶表示装置を提供することである。
【課題を解決するための手段】
【０００９】
本発明の実施形態による液晶表示装置は、第１の基板と、前記第１の基板の上に形成されており、互いに分離されている第１の副画素電極及び第２の副画素電極を有する画素電極と、前記第１の基板と向かい合う第２の基板と、前記第２の基板の上に形成されている共通電極と、前記第１の基板と前記第２の基板との間に配設される液晶層と、を備え、前記第１の副画素電極は、第１の板状部分と、前記第１の板状部分から延出する複数の第１の枝電極と、を備え、前記第２の副画素電極は、前記第１の枝電極の周りを取り囲むように形成されている第２の板状部分と、前記第２の板状部分から延出する複数の第２の枝電極と、を備え、前記第１の副画素電極に印加される第１の電圧と前記共通電極に印加される共通電圧との差分は、前記第２の副画素電極に印加される第２の電圧と前記共通電圧との差分よりも大きい。
【００１０】
前記第１の副画素電極の前記第１の板状部分は、ひし形の平面状を有し、前記第２の副画素電極の前記第２の板状部分は、複数の台形が合わせられた平面状を有していてもよい。
【００１１】
前記第１の副画素電極の前記複数の第１の枝電極は、異なる方向に延びている第１の微細枝部と、第２の微細枝部と、第３の微細枝部及び第４の微細枝部を備え、前記第２の副画素電極の前記複数の第２の枝電極は、異なる方向に延びている第５の微細枝部と、第６の微細枝部と、第７の微細枝部及び第８の微細枝部を備えていてもよい。
【００１２】
前記複数の第１の枝電極及び前記複数の第２の枝電極のうちのいずれか一方が延びている方向と平行な方向を基準として測定した前記第１の副画素電極と前記第２の副画素電極との間の間隔が約４μｍ以下である場合、前記第１の副画素電極に印加される電圧に対する第２の副画素電極に印加される電圧の割合は、約０．８３以下であってもよい。
【００１３】
前記複数の第１の枝電極及び前記複数の第２の枝電極のうちのいずれか一方が延びている方向と平行な方向を基準として測定した前記第１の副画素電極と前記第２の副画素電極との間の間隔が約４μｍよりも大きく且つ約４．５μｍ以下である場合、前記第１の副画素電極に印加される電圧に対する第２の副画素電極に印加される電圧の割合は、約０．７５以下であってもよい。
【００１４】
前記複数の第１の枝電極及び前記複数の第２の枝電極のうちのいずれか一方が延びている方向と平行な方向を基準として測定した前記第１の副画素電極と前記第２の副画素電極との間の間隔が約５μｍ以上である場合、前記第１の副画素電極に印加される電圧に対する第２の副画素電極に印加される電圧の割合は、約０．７以下であってもよい。
【００１５】
前記複数の第１の枝電極及び前記複数の第２の枝電極のうちのいずれか一方が延びている方向と平行な方向を基準として測定した前記第１の画素電極の前記第１の板状部分の全体幅の１／２は、約２５μｍ以下であってもよい。
【００１６】
前記複数の第１の枝電極及び前記複数の第２の枝電極のうちのいずれか一方が延びている方向と平行な方向を基準として測定した前記第２の画素電極の前記第２の板状部分の幅は、約２５μｍ以下であってもよい。
【００１７】
前記複数の第１の枝電極及び前記複数の第２の枝電極の長さは、約２５μｍ以下であってもよい。
【００１８】
前記第１の副画素電極の前記第１の板状部分の周縁は、前記ゲート線と約４５°又は約１３５°の角度をなすか、あるいは、約４５°よりも大きいかあるいは約１３５°よりも小さい角度をなしてもよい。
【００１９】
前記第２の副画素電極の前記第２の板状部分の周縁は、前記ゲート線と約４５°又は約１３５°の角度をなすか、あるいは、約４５°よりも大きいかあるいは約１３５°よりも小さい角度をなしてもよい。
【００２０】
前記第１の副画素電極と前記第２の副画素電極との間の境界部は、前記ゲート線と約４５°又は約１３５°の角度をなすか、あるいは、約４５°よりも大きいかあるいは約１３５°よりも小さい角度をなしてもよい。
【００２１】
前記第１の副画素電極の前記第１の枝電極は、前記ゲート線と約４５°又は約１３５°の角度をなすか、あるいは、約４５°よりも小さいかあるいは約１３５°よりも小さい角度をなしてもよい。
【００２２】
前記第２の板状部分の幅は、前記第１の板状部分の幅よりも狭くてもよい。
【００２３】
前記第２の板状部分と隣り合う前記第１の枝電極の先端の幅は、前記第１の枝電極の他の部分の幅よりも広くてもよい。
【００２４】
前記第２の板状部分と前記第２の枝電極との間の境界部における前記第２の枝電極の幅は、前記第２の枝電極の他の部分の幅よりも狭くてもよい。
【００２５】
前記第１の副画素電極は、前記第１の枝電極を備えず、前記第１の板状部分のみよりなってもよい。
【００２６】
前記液晶表示装置は、前記画素電極の下に配設される絶縁膜をさらに備え、前記絶縁膜は、前記第１の副画素電極の下に配設される第１の部分と、前記第２の副画素電極の下に配設される第２の部分と、を備え、前記第１の部分の高さは、前記第２の部分の高さよりも高くてもよい。
【００２７】
前記第１の部分と前記第２の部分との間の境界は、前記第２の画素電極の前記第２の板状部分と重なり合うか、あるいは、前記第１の画素電極の前記第１の枝電極と重なり合ってもよい。
【００２８】
前記第１の部分と前記第２の部分との間の境界は、前記第２の画素電極の前記第２の板状部分と重なり合い、前記第２の部分は、前記基板となす勾配が異なる複数の領域を備えていてもよい。
【発明の効果】
【００２９】
本発明の実施形態による液晶表示装置によれば、 側面視認性を正面視認性に近づけながらも液晶表示装置の開口率の低下なしに２つの副画素電極間の境界部の液晶分子が制御可能であり、液晶表示装置の輝度が増大される。
【図面の簡単な説明】
【００３０】
【図１】本発明の一実施形態による液晶表示装置の配置図である。
【図２】図１の液晶表示装置をＩＩ-ＩＩ線に沿って切り取った断面図である。
【図３】本発明の一実施形態による液晶表示装置の電場生成電極の基本領域を示す平面図である。
【図４】本発明の一実施形態による液晶表示装置の液晶分子の方向子の配列方向を示す概念図である。
【図５】本発明の一実施形態による液晶表示装置の液晶分子の方向子の配列方向を示す断面図である。
【図６】本発明の第１の実験例の結果を示す電子顕微鏡写真である。
【図７】本発明の第１の実験例の結果を示す電子顕微鏡写真である。
【図８】本発明の第１の実験例の結果を示す電子顕微鏡写真である。
【図９】本発明の第１の実験例の結果を示す電子顕微鏡写真である。
【図１０】本発明の第１の実験例の結果を示す電子顕微鏡写真である。
【図１１】本発明の第２の実験例の結果を示す電子顕微鏡写真である。
【図１２】本発明の第２の実験例の結果を示す電子顕微鏡写真である。
【図１３】本発明の第３の実験例の結果を示す電子顕微鏡写真である。
【図１４】本発明の第３の実験例の結果を示す電子顕微鏡写真である。
【図１５】本発明の他の実施形態による液晶表示装置の電場生成電極の基本領域を示す平面図である。
【図１６】本発明の他の実施形態による液晶表示装置の電場生成電極の基本領域を示す平面図である。
【図１７】本発明の他の実施形態による液晶表示装置の電場生成電極の基本領域を示す平面図である。
【図１８】本発明の他の実施形態による液晶表示装置の電場生成電極の基本領域を示す平面図である。
【図１９】本発明の他の実施形態による液晶表示装置の電場生成電極の基本領域を示す平面図である。
【図２０】本発明の第４の実験例の結果を示すグラフである。
【図２１】本発明の他の実施形態による液晶表示装置の電場生成電極の基本領域を示す平面図である。
【図２２】本発明の他の実施形態による液晶表示装置の液晶分子の方向子の配列方向を示す断面図である。
【図２３】本発明の第５の実験例の結果を示す電子顕微鏡写真である。
【図２４】本発明の他の実施形態による液晶表示装置の電場生成電極の基本領域を示す平面図である。
【図２５】本発明の他の実施形態による液晶表示装置の液晶分子の方向子の配列方向を示す断面図である。
【図２６】本発明の他の実施形態による液晶表示装置の液晶分子の方向子の配列方向を示す断面図である。
【図２７】本発明の他の実施形態による液晶表示装置の電場生成電極の基本領域を示す平面図である。
【図２８】本発明の他の実施形態による液晶表示装置の液晶分子の方向子の配列方向を示す断面図である。
【図２９】本発明の他の実施形態による液晶表示装置の電場生成電極の基本領域を示す平面図である。
【図３０】本発明の他の実施形態による液晶表示装置の電場生成電極の一部を示す断面図であり、図２９のＸＸＩＸ-ＸＸＩＸ’線に沿って切り取った断面図である。
【図３１】本発明の他の実施形態による液晶表示装置の電場生成電極の一部を示す断面図であり、図２９のＸＸＩＸ-ＸＸＩＸ’線に沿って切り取った断面図である。
【図３２】本発明の他の実施形態による液晶表示装置の電場生成電極の基本領域を示す平面図である。
【図３３】本発明の他の実施形態による液晶表示装置の電場生成電極の一部を示す断面図であり、図３２のＸＸＩＩ-ＸＸＩＩ’線に沿って切り取った断面図である。
【図３４】本発明の第６の実験例の結果を示す電子顕微鏡写真である。
【発明を実施するための形態】
【００３１】
以下、添付図面に基づき、本発明の好適な実施形態について本発明が属する技術分野において通常の知識を有する者が実施できる程度に詳細に説明する。しかしながら、本発明は、様々な異なる形態により実現可能であり。ここで説明される実施形態に何ら限定されない。
【００３２】
図中、様々な層及び領域の厚さは、明確性を図るために誇張されている。明細書全体に亘って同じ部分に対しては同じ図面符号を付する。なお、層、膜、領域、板などの部分が他の部分の「上」にあるとしたとき、それは、他の部分の「真上」にある場合だけではなく、これらの間にさらに他の部分がある場合も含む。逆に、ある部分が他の部分の「直上」にあるとしたとき、これらの間に他の部分がないことを意味する。
【００３３】
以下、図１及び図２に基づき、本発明の一実施形態による液晶表示装置について説明する。図１は、本発明の一実施形態による液晶表示装置の配置図であり、図２は、図１の液晶表示装置をＩＩ-ＩＩ線に沿って切り取った断面図である。
【００３４】
図１及び図２を参照すると、本発明の一実施形態による液晶表示装置は、相対向する下部パネル１００及び上部パネル２００と、これらの２枚のパネル１００、２００の間に挟持されている液晶層３及びパネル１００、２００の外側面に付着されている一対の偏光子（図示せず）を備える。
【００３５】
まず、下部パネル１００について説明する。
【００３６】
第１の基板１１０の上にゲート線１２１と、基準電圧線１３１及びストレージ電極１３５が形成されている。ゲート線１２１は、主として横方向に延びてゲート信号を伝達する。
【００３７】
ゲート線１２１は、第１のゲート電極１２４ａと、第２のゲート電極１２４ｂと、第３のゲート電極１２４ｃ及び他の層又は外部駆動回路との接続のための広い端部（図示せず）を備える。
【００３８】
基準電圧線１３１はゲート線１２１と平行に延びていてもよく、拡張部１３６を有し、拡張部１３６は、後述する第３のドレイン電極１７５ｃと接続されている。
【００３９】
基準電圧線１３１は、画素領域を取り囲む維持電極１３５を備える。
【００４０】
ゲート線１２１と、基準電圧線１３１及び維持電極１３５の上には、ゲート絶縁膜（ｇａｔｅ ｉｎｓｕｌａｔｉｎｇ ｌａｙｅｒ）１４０が形成されている。
【００４１】
ゲート絶縁膜１４０の上には、非晶質又は結晶質のケイ素製の第１の半導体１５４ａと、第２の半導体１５４ｂ及び第３の半導体１５４ｃが形成されている。
【００４２】
第１の半導体１５４ａと、第２の半導体１５４ｂ及び第３の半導体１５４ｃの上には、複数のオーミックコンタクト（ｏｈｍｉｃ ｃｏｎｔａｃｔ）１６３ａ、１６３ｂ、１６３ｃ、１６５ａ、１６５ｂ、１６５ｃが形成されている。半導体１５４ａ、１５４ｂ、１５４ｃが酸化物半導体である場合、オーミックコンタクトは省略可能である。
【００４３】
オーミックコンタクト１６３ａ、１６３ｂ、１６３ｃ、１６５ａ、１６５ｂ、１６５ｃ及びゲート絶縁膜１４０の上には、第１のソース電極１７３ａ及び第２のソース電極１７３ｂを有するデータ線１７１と、第１のドレイン電極１７５ａ、第２のドレイン電極１７５ｂ、第３のソース電極１７３ｃ及び第３のドレイン電極１７５ｃを有するデータ導電体１７１、１７３ａ、１７３ｂ、１７３ｃ、１７５ａ、１７５ｂ、１７５ｃが形成されている。
【００４４】
第２のドレイン電極１７５ｂは、第３のソース電極１７３ｃと接続されている。
【００４５】
第１のゲート電極１２４ａと、第１のソース電極１７３ａ及び第１のドレイン電極１７５ａは、第１の半導体１５４ａとともに第１の薄膜トランジスタＱａを形成し、薄膜トランジスタのチャンネル（ｃｈａｎｎｅｌ）は、第１のソース電極１７３ａと第１のドレイン電極１７５ａとの間の半導体の部分１５４ａに形成される。これと同様に、第２のゲート電極１２４ｂと、第２のソース電極１７３ｂ及び第２のドレイン電極１７５ｂは、第２の半導体１５４ｂとともに第２の薄膜トランジスタＱｂを形成し、薄膜トランジスタのチャンネルは、第２のソース電極１７３ｂと第２のドレイン電極１７５ｂとの間の半導体の部分１５４ｂに形成され、第３のゲート電極１２４ｃと、第３のソース電極１７３ｃ及び第３のドレイン電極１７５ｃは、第３の半導体１５４ｃとともに第３の薄膜トランジスタＱｃを形成し、薄膜トランジスタのチャンネルは、第３のソース電極１７３ｃと第３のドレイン電極１７５ｃとの間の半導体の部分１５４ｃに形成される。
【００４６】
データ導電体１７１、１７３ａ、１７３ｂ１７３ｃ、１７５ａ、１７５ｂ、１７５ｃ及び露出された半導体１５４ａ、１５４ｂ、１５４ｃ部分の上には、窒化ケイ素又は酸化ケイ素などの無機絶縁物製の保護膜（ｐａｓｓｉｖａｔｉｏｎ ｌａｙｅｒ）１８０が形成されている。
【００４７】
保護膜１８０の上には、カラーフィルター２３０が配設される。
【００４８】
カラーフィルター２３０が配設されていない領域及びカラーフィルター２３０の一部の上には、遮光部材（ｌｉｇｈｔ ｂｌｏｃｋｉｎｇ ｍｅｍｂｅｒ）（図示せず）が配設されていてもよい。遮光部材は、ブラックマトリックス（ｂｌａｃｋ ｍａｔｒｉｘ）とも呼ばれ、光漏れを防ぐ。
【００４９】
カラーフィルター２３０の上には、キャッピング膜（ｃａｐｐｉｎｇ ｌａｙｅｒ）８０が配設される。キャッピング膜８０は、カラーフィルター２３０が浮き上がることを防ぎ、カラーフィルターから流入する溶剤（ｓｏｌｖｅｎｔ）などの有機物による液晶層３の汚染を抑えて画面駆動時に招かれる残像などの不良を防ぐ。
【００５０】
キャッピング膜８０の上には、第１の副画素電極１９１ａ及び第２の副画素電極１９１ｂを有する画素電極１９１が形成されている。第１の副画素電極１９１ａ及び第２の副画素電極１９１ｂは、図３に示す基本電極１９９又はその変形を１つ以上備えている。
【００５１】
第１の副画素電極１９１ａ及び第２の副画素電極１９１ｂは、所定の間隔だけ隔てられている。
【００５２】
第２の副画素電極１９１ｂは、第１の副画素電極１９１ａを取り囲むように形成されている。
【００５３】
第１の副画素電極１９１ａの周縁には、複数の第１の枝電極１９２ａが形成されている。複数の第１の枝電極１９２ａは、ひし形を有する第１の板状部分１９３ａから延出している。板状（ｐｌａｔｅ  ｓｈａｐｅ）とは、分割のない一枚板の形状をいう。
【００５４】
すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【００５５】
第１の副画素電極１９１ａの第１の板状部分１９３ａの中心部分は、後述する共通電極２７０に形成されている十字状の切欠部２７１の中心部分と重なり合う。
【００５６】
第１の副画素電極１９１ａの第１の枝電極１９２ａは、異なる方向に延びているものを含む。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【００５７】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【００５８】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【００５９】
第１乃至第４の微細枝部１９４ａ、１９４ｂ、１９４ｃ、１９４ｄ及び第５乃至第８の微細枝部１９４ｅ、１９６ｆ、１９４ｇ、１９４ｈは、ゲート線１２１と略４５°又は１３５°の角度をなす。また、異なる方向に延びており、隣り合う２つの微細枝部１９４ａ、１９４ｂ、１９４ｃ、１９４ｄ、１９４ｅ、１９６ｆ、１９４ｇ、１９４ｈは、互いに直交してもよい。
【００６０】
保護膜１８０及びキャッピング膜８０には、第１のドレイン電極１７５ａの一部分を露出させる第１のコンタクトホール１８５ａ及び第２のドレイン電極１７５ｂの一部分を露出させる第２のコンタクトホール１８５ｂが形成されている。ゲート絶縁膜１４０と、保護膜１８０及びキャッピング膜８０には、基準電圧線１３１の拡張部１３６及び第３のドレイン電極１７５ｃを露出させる第３のコンタクトホール１８５ｃが形成されている。
【００６１】
第１の副画素電極１９１ａの第１の拡張部１９５ａは、第１のコンタクトホール１８５ａを介して第１のドレイン電極１７５ａに物理的・電気的に接続され、第２の副画素電極１９１ｂの第２の拡張部１９５ｂは、第２のコンタクトホール１８５ｂを介して第２のドレイン電極１７５ｂと物理的・電気的に接続される。
【００６２】
第１の副画素電極１９１ａ及び第２の副画素電極１９１ｂには、第１のコンタクトホール１８５ａ及び第２のコンタクトホール１８５ｂを介してそれぞれ第１のドレイン電極１７５ａ及び第２のドレイン電極１７５ｂからデータ電圧が印加される。
【００６３】
第３のコンタクトホール１８５ｃを介して露出されている基準電圧線１３１の拡張部１３６及び第３のドレイン電極１７５ｃの上には接続部材１９５が形成されており、接続部材１９５を介して、第３のドレイン電極１７５ｃは基準電圧線１３１の拡張部１３６と物理的・電気的に接続されている。
【００６４】
次いで、上部パネル２００について説明する。
【００６５】
第２の絶縁基板２１０の上に遮光部材２２０及び共通電極２７０が形成されている。
【００６６】
共通電極２７０は、複数の十字状の切欠部２７１を有する。共通電極２７０の十字状の切欠部２７１は、図３に示すように、電場生成電極の基本領域ごとに１つずつ配設され、互いに接続されてもよい。
【００６７】
図示の実施形態において、上部パネル２００に遮光部材２２０が形成されていると説明したが、本発明の他の実施形態による液晶表示装置の場合、遮光部材２２０は下部パネル１００の上に配設されてもよく、本発明の他の実施形態による液晶表示装置の場合、カラーフィルターは上部パネル２００に配設されてもよい。
【００６８】
パネル１００、２００の内側面には、配向膜（ａｌｉｇｎｍｅｎｔ ｌａｙｅｒ）（図示せず）が形成されており、これらは垂直配向膜であってもよい。
【００６９】
２枚のパネル１００、２００の外側面には偏光子（ｐｏｌａｒｉｚｅｒ）（図示せず）が配備されているが、２つの偏光子の透過軸は直交し、これらのうちの一方の透過軸はゲート線１２１に対して平行であることが好ましい。しかしながら、偏光子は２枚のパネル１００、２００のうちのいずれか一方の外側面にのみ配置されてもよい。
【００７０】
液晶層３は負の誘電率異方性を有し、液晶層３の液晶分子は、電場がない状態でその長軸が２枚のパネル１００、２００の表面に対して垂直になるように配向されている。このため、電場がない状態で入射光は直交偏光子を通過できずに遮断される。
【００７１】
データ電圧が印加された第１の副画素電極１９１ａ及び第２の副画素電極１９１ｂは、上部パネル２００の共通電極２７０と共に電場を生成することにより、電場がない状態で２つの電極１９１、２７０の表面に対して垂直をなすように配向されていた液晶層３の液晶分子が２つの電極１９１、２７０の表面に対して水平な方向に向かって横たわり、液晶分子の横たわる度合いに応じて液晶層３を通過する光の輝度が変わる。
【００７２】
以下、本発明の実施形態による液晶表示装置の駆動方法について簡略に説明する。
【００７３】
ゲート線１２１にゲートオン信号が印加されると、第１のゲート電極１２４ａと、第２のゲート電極１２４ｂ及び第３のゲート電極１２４ｃにゲートオン信号が印加されて、第１のスイッチング素子Ｑａと、第２のスイッチング素子Ｑｂ及び第３のスイッチング素子Ｑｃがターンオンとなる。これにより、データ線１７１に印加されたデータ電圧はターンオンとなった第１のスイッチング素子Ｑａ及び第２のスイッチング素子Ｑｂを介してそれぞれ第１の副画素電極１９１ａ及び第２の副画素電極１９１ｂに印加される。このとき、第１の副画素電極１９１ａ及び第２の副画素電極１９１ｂには同じ大きさの電圧が印加される。しかしながら、第２の副画素電極１９１ｂに印加された電圧は、第２のスイッチング素子Ｑｂと直列接続されている第３のスイッチング素子Ｑｃにより分圧される。したがって、第２の副画素電極１９１ｂに印加される電圧は、第１の副画素電極１９１ａに印加される電圧よりもさらに小さくなる。
【００７４】
このように、第２の副画素電極１９１ｂに印加される第２の電圧は、第１の副画素電極１９１ａに印加される第１の電圧よりも小さい。このため、第１の副画素電極１９１ａと共通電極２７０との間の電位差は、第２の副画素電極１９１ｂと共通電極２７０との間の電位差よりも大きくなる。
【００７５】
したがって、第１の副画素電極１９１ａと共通電極２７０との間に形成される第１の液晶容量及び第２の副画素電極１９１ｂと共通電極２７０との間に形成される第２の液晶容量の充電電圧は異なるガンマ曲線を示し、ある画素電圧のガンマ曲線はこれらを合成した曲線となる。正面における合成ガンマ曲線は、最も適合するように定められた正面における基準ガンマ曲線と一致するようにし、側面における合成ガンマ曲線は、正面における基準ガンマ曲線と最も近くなるようにする。このように映像データを変換することにより、側面視認性が向上する。
【００７６】
図示の実施形態においては、第１の液晶容量に充電される電圧と第２の液晶容量に充電される電圧を異ならせるために、第２の液晶容量をなす第２の副画素電極１９１ｂに接続される第２のスイッチング素子Ｑｂの出力端子及び分圧基準電圧線に接続される第３のスイッチング素子Ｑｃを配設したが、本発明の他の実施形態による液晶表示装置の場合、第２の液晶容量をなす第２の副画素電極１９１ｂに接続される第２のスイッチング素子Ｑｂの出力端子及び減圧キャパシタに接続される第３のスイッチング素子Ｑｃを配設してもよい。このとき、第３のスイッチング素子Ｑｃは第１のスイッチング素子Ｑａ及び第２のスイッチング素子Ｑｂとは異なるゲート線に接続されてもよく、第１のスイッチング素子Ｑａ及び第２のスイッチング素子Ｑｂがターンオンとなってからターンオフとなった後、第３のスイッチング素子Ｑｃがターンオンとなってもよい。第１のスイッチング素子Ｑａ及び第２のスイッチング素子Ｑｂがターンオンとなってからターンオフとなった後、第３のスイッチング素子Ｑｃがターンオンとなると、第２の副画素電極１９１ｂから第３のスイッチング素子Ｑｃを介して減圧キャパシタに電荷が移動する。すると、第２の液晶容量の充電電圧は低くなり、減圧キャパシタが充電される。第２の液晶容量の充電電圧は減圧キャパシタの静電容量に見合う分だけ低くなるため、第２の液晶容量の充電電圧は第１の液晶容量の充電電圧よりも低くなる。
【００７７】
また、本発明の他の実施形態による液晶表示装置の場合、第１の液晶容量及び第２の液晶容量がそれぞれ異なるデータ線に接続されて、異なるデータ電圧が印加されるようにすることにより、第１の液晶容量と第２の液晶容量との間の充電電圧を異ならせて設定してもよい。加えて、他の様々な方法により、第１の液晶容量と第２の液晶容量との間の充電電圧を異ならせて設定してもよい。
【００７８】
以下、図３を参照して、本発明の一実施形態による液晶表示装置の電場生成電極の基本領域についてさらに詳しく説明する。図３は、本発明の一実施形態による液晶表示装置の電場生成電極の基本領域を示す平面図である。
【００７９】
図３に示すように、本発明の実施形態による液晶表示装置の電場生成電極の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【００８０】
共通電極２７０の切欠部２７１は、平面視において、十字状を有してもよい。
【００８１】
第１の副画素電極１９１ａの周縁には、複数の第１の枝電極１９２ａが形成されている。複数の第１の枝電極１９２ａは、ひし形を有する第１の板状部分１９３ａから延出している。すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【００８２】
第１の副画素電極１９１ａの第１の板状部分１９３ａの中心部分は、共通電極２７０に形成されている十字状の切欠部２７１の中心部分と重なり合う。
【００８３】
第１の副画素電極１９１ａの第１の枝電極１９２ａは、異なる方向に延びているものを有する。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【００８４】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【００８５】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【００８６】
第１乃至第４の微細枝部１９４ａ、１９４ｂ、１９４ｃ、１９４ｄ及び第５乃至第８の微細枝部１９４ｅ、１９６ｆ、１９４ｇ、１９４ｈは、ゲート線１２１が延びている第１の方向Ｄ１と略４５°又は１３５°をなしてもよい。また、異なる方向に延びており、隣り合う２つの微細枝部１９４ａ、１９４ｂ、１９４ｃ、１９４ｄ、１９４ｅ、１９６ｆ、１９４ｇ、１９４ｈは、互いに直交してもよい。
【００８７】
本発明の実施形態による液晶表示装置は、１つの画素領域に図３に示す基本電極１９９を２つ乃至４つ備えてもよい。
【００８８】
ゲート線１２１が延びている第１の方向Ｄ１及びデータ線１７１が延びている第２の方向Ｄ２と約４５°の第１の角度θ１をなす方向を基準として、すなわち、複数の第１の枝電極１９２ａ及び複数の第２の枝電極１９２ｂのうちのいずれか一方が延びている方向と平行な方向を基準として、第１の副画素電極１９１ａの第１の板状部分１９３ａの全体幅の１／２である第１の幅Ｗ１は、約２５μｍ以下であってもよい。また、ゲート線１２１が延びている第１の方向Ｄ１及びデータ線１７１が延びている第２の方向Ｄ２と約４５°の第１の角度θ１をなす方向を基準として、すなわち、複数の第１の枝電極１９２ａ及び複数の第２の枝電極１９２ｂのうちのいずれか一方が延びている方向と平行な方向を基準として測定した第１の枝電極１９２ａの長さも、約２５μｍ以下であってもよい。
【００８９】
これと同様に、ゲート線１２１が延びている第１の方向Ｄ１及びデータ線１７１が延びている第２の方向Ｄ２と約４５°の第１の角度θ１をなす方向を基準として、第２の副画素電極１９１ｂの第２の板状部分１９３ｂの第２の幅Ｗ２は、約２５μｍ以下であってもよい。また、ゲート線１２１が延びている第１の方向Ｄ１及びデータ線１７１が延びている第２の方向Ｄ２と約４５°の第１の角度θ１をなす方向を基準として測定した第２の枝電極１９２ｂの長さも、約２５μｍ以下であってもよい。
【００９０】
また、第１の副画素電極１９１ａの第１の枝電極１９２ａ及び第２の副画素電極１９１ｂの第２の枝電極１９２ｂの長さは、約２５μｍ以下であってもよい。ここで、第１の副画素電極１９１ａの第１の枝電極１９２ａ及び第２の副画素電極１９１ｂの第２の枝電極１９２ｂの長さとは、第１の副画素電極１９１ａの第１の枝電極１９２ａ及び第２の副画素電極１９１ｂの第２の枝電極１９２ｂが延びている方向を基準として測定した長さのことをいう。
【００９１】
ゲート線１２１が延びている第１の方向Ｄ１及びデータ線１７１が延びている第２の方向Ｄ２と約４５°の第１の角度θ１をなす方向を基準として、第１の副画素電極１９１ａの第１の枝電極１９２ａと第２の副画素電極１９１ｂの第２の板状部分１９３ｂとの間の第１の間隔ｄ１は、第１の副画素電極１９１ａと第２の副画素電極１９１ｂとの間の最小間隔であり、第１の副画素電極１９１ａと第２の副画素電極１９１ｂとの間の電圧比、第１の副画素電極１９１ａに印加される電圧に対する第２の副画素電極１９１ｂに印加される電圧の比に応じて変化される。より具体的に、第１の副画素電極１９１ａの第１の枝電極１９２ａと第２の副画素電極１９１ｂの第２の板状部分１９３ｂとの間の第１の間隔ｄ１が約４μｍ以下である場合、第１の副画素電極１９１ａに印加される電圧に対する第２の副画素電極１９１ｂに印加される電圧の割合は、約０．８３以下であってもよい。第１の副画素電極１９１ａの第１の枝電極１９２ａと第２の副画素電極１９１ｂの第２の板状部分１９３ｂとの間の第１の間隔ｄ１が約４μｍよりも大きくて約４．５μｍ以下である場合、第１の副画素電極１９１ａに印加される電圧に対する第２の副画素電極１９１ｂに印加される電圧の割合は、約０．７５以下であってもよい。また、第１の副画素電極１９１ａの第１の枝電極１９２ａと第２の副画素電極１９１ｂの第２の板状部分１９３ｂとの間の第１の間隔ｄ１が約４．５μｍよりも大きくて約５μｍよりも小さい場合、第１の副画素電極１９１ａに印加される電圧に対する第２の副画素電極１９１ｂに印加される電圧の割合は、約０．７よりも大きく、約０．７５よりも小さくてもよい。さらに、第１の副画素電極１９１ａの第１の枝電極１９２ａと第２の副画素電極１９１ｂの第２の板状部分１９３ｂとの間の第１の間隔ｄ１が約５μｍ以上である場合、第１の副画素電極１９１ａに印加される電圧に対する第２の副画素電極１９１ｂに印加される電圧の割合は、約０．７以下であってもよい。
【００９２】
このように、第１の副画素電極１９１ａの第１の枝電極１９２ａと第２の副画素電極１９１ｂの第２の板状部分１９３ｂとの間の第１の間隔ｄ１が小さいほど、第１の副画素電極１９１ａに印加される電圧に対する第２の副画素電極１９１ｂに印加される電圧の割合は大きくてもよい。すなわち、第１の副画素電極１９１ａの第１の枝電極１９２ａと第２の副画素電極１９１ｂの第２の板状部分１９３ｂとの間の第１の間隔ｄ１が小さいほど、第１の副画素電極１９１ａに印加される電圧と第２の副画素電極１９１ｂに印加される電圧との差分が小さくてもよい。これに対し、第１の副画素電極１９１ａの第１の枝電極１９２ａと第２の副画素電極１９１ｂの第２の板状部分１９３ｂとの間の第１の間隔ｄ１が大きくなるほど、第１の副画素電極１９１ａに印加される電圧に対する第２の副画素電極１９１ｂに印加される電圧の割合は小さくなってもよい。すなわち、第１の副画素電極１９１ａの第１の枝電極１９２ａと第２の副画素電極１９１ｂの第２の板状部分１９３ｂとの間の第１の間隔ｄ１が小さいほど、第１の副画素電極１９１ａに印加される電圧と第２の副画素電極１９１ｂに印加される電圧との差分が大きくなってもよい。
【００９３】
第１の副画素電極１９１ａと第２の副画素電極１９１ｂとの間の電圧比が小さいほど、第１の副画素電極１９１ａに加えられる電圧と第２の副画素電極１９１ｂに加えられる電圧との間の差分が大きくなって、第１の副画素電極１９１ａと第２の副画素電極１９１ｂとの間の境界部において液晶分子の方向が好適に制御されるが、第１の副画素電極１９１ａに加えられる電圧に比べて、第２の副画素電極１９１ｂに加えられる電圧が大幅に減少すればするほど第２の副画素電極１９１ｂが占める領域の輝度が減少し、これにより、液晶表示装置の全体的な輝度が減少する。
【００９４】
以下、図４及び図５を参照して、本発明の一実施形態による液晶表示装置の電場生成電極の基本領域における液晶分子の配列について説明する。図４は、本発明の実施形態による液晶表示装置の液晶分子の方向子の配列方向を示す概念図であり、図５は、本発明の実施形態による液晶表示装置の液晶分子の方向子の配列方向を示す断面図である。
【００９５】
図４及び図５を参照すると、第２の副画素電極１９１ｂの第２の枝電極１９２ｂの周縁と垂直をなす方向に第１のフリンジフィールドＦ１が発生し、これにより、第２の枝電極１９２ｂの周りに位置する第１の液晶分子３１ａは第１のフリンジフィールドＦ１の方向と平行に傾いた後に互いに衝突して、第２の枝電極１９２ｂが延びている長手方向と平行な方向に傾く。
【００９６】
第２の副画素電極１９１ｂの第２の板状部分１９３ｂの周縁のうち第２の枝電極１９２ｂと隣り合う第１の周縁に位置する第２の液晶分子３１ｂは、第２の板状部分１９３ｂの第１の周縁に発生する第２のフリンジフィールドＦ２の影響を受けて第２の板状部分１９３ｂの第１の周縁と垂直をなす方向に傾き、この方向は、第１の液晶分子３１ａが傾く方向と同様である。
【００９７】
第２の副画素電極１９１ｂの第２の板状部分１９３ｂの周縁のうち第１の副画素電極１９１ａと隣り合う第２の周縁には第３のフリンジフィールドＦ３が発生し、第２の副画素電極１９１ｂの第２の板状部分１９３ｂの周縁のうち第１の副画素電極１９１ａと隣り合う第２の周縁と隣り合う第３の液晶分子３１ｃの第１の部分３１ｃ１は、第３のフリンジフィールドＦ３の影響を受けて、第２の板状部分１９３ｂの第２の周縁と垂直をなす方向に傾いてもよい。この方向は、第１の液晶分子３１ａ及び第２の液晶分子３１ｂが傾く方向とは反対である。
【００９８】
また、第１の副画素電極１９１ａの第１の枝電極１９２ａの周縁のうち第２の副画素電極１９１ｂの第２の板状部分１９３ｂと隣り合う第３の周縁には第４のフリンジフィールドＦ４が発生し、第１の枝電極１９２ａの第３の周縁と隣り合う第４の液晶分子３１ｄは第４のフリンジフィールドＦ４と垂直をなす方向に傾く。この方向は、第１の液晶分子３１ａ及び第２の液晶分子３１ｂが傾く方向と同様である。
【００９９】
上述したように、第１の副画素電極１９１ａに加えられる電圧は、第２の副画素電極１９１ｂに加えられる電圧よりも大きい。このため、第１の副画素電極１９１ａと共通電極２７０との間の電位差は、第２の副画素電極１９１ｂと共通電極２７０との間の電位差よりも大きく、これにより、第４のフリンジフィールドＦ４の大きさは、第３のフリンジフィールドＦ３の大きさよりも大きい。このため、第１の副画素電極１９１ａと隣り合う第２の周縁と隣り合う第３の液晶分子３１ｃの第２の部分３１ｃ２は、第４のフリンジフィールドＦ４の影響を受けて、第４のフリンジフィールドＦ４と垂直をなす方向に傾く。これにより、第３のフリンジフィールドＦ３の影響を受けて第３のフリンジフィールドＦ３と垂直をなす方向に傾こうとする第３の液晶分子３１ｃの第１の部分３１ｃ１も第４のフリンジフィールドＦ４の影響を受ける第３の液晶分子３１ｃの第２の部分３１ｃ２と平行に傾く。これにより、第１の副画素電極１９１ａと第２の副画素電極１９１ｂとの間に位置する第３の液晶分子３１ｃは、周りの第２の液晶分子３１ｂ及び第４の液晶分子３１ｄと平行な方向に傾き、これにより、液晶表示装置の輝度が増加される。もし、第１の副画素電極１９１ａと第２の副画素電極１９１ｂとの間の境界部分に位置する液晶分子の傾く方向が、第１の副画素電極１９１ａ及び第２の副画素電極１９１ｂに対応する領域に位置する液晶分子の傾く方向とは異なる場合、第１の副画素電極１９１ａと第２の副画素電極１９１ｂとの間の境界部分は第１の副画素電極１９１ａ及び第２の副画素電極１９１ｂよりも暗く表示されて、液晶表示装置の全体の輝度が減少する。
【０１００】
第１の副画素電極１９１ａの第１の枝電極１９２ａに対応する第５の液晶分子３１ｅは、第１の枝電極１９２ａの周縁に発生する第５のフリンジフィールドＦ５の影響を受けて、第５のフリンジフィールドＦ５の方向と平行に傾いた後に互いに衝突して、第１の枝電極１９２ａが延びている長手方向と平行な方向に傾く。
【０１０１】
また、第１の副画素電極１９１ａの第１の板状部分１９３ａに対応する第６の液晶分子３１ｆのうち第３の部分３１ｆ１及び第４の部分３１ｆ２は、共通電極２７０に形成されている十字状の切欠部２７１に加えられる第６のフリンジフィールドＦ６により切欠部２７１の周縁と垂直をなす方向に一次的に傾いていて第６の液晶分子３１ｆのうち第３の部分３１ｆ１及び第４の部分３１ｆ２が接続されて変形が極力抑えられる方向に２次的に配列されるが、２次的な配列方向は、第３の部分３１ｆ１及び第４の部分３１ｆ２が向かう方向のベクトルの合計方向となる。このため、第１の枝電極１９２ａが延びている長手方向と平行な方向に傾く。
【０１０２】
このように、本発明の実施形態による液晶表示装置によれば、相対的に高い電圧が印加される第１の副画素電極１９１ａを共通電極２７０の十字状の切欠部２７１の中心部分と重なり合うように中央部分に形成し、第１の副画素電極１９１ａの周縁に複数の第１の枝電極１９２ａを形成する。また、第１の副画素電極１９１ａの周縁に相対的に低い電圧が印加される第２の副画素電極１９１ｂを配設し、第２の副画素電極１９１ｂの周縁に複数の第２の枝電極１９２ｂを形成する。これとともに、第１の副画素電極１９１ａと第２の副画素電極１９１ｂとの間の第１の間隔ｄ１に応じて第１の副画素電極１９１ａ及び第２の副画素電極１９１ｂに印加される電圧の比を調節することにより、第１の副画素電極１９１ａと第２の副画素電極１９１ｂとの間の境界に位置する液晶分子が第１の副画素電極１９１ａに対応する液晶分子及び第２の副画素電極１９１ｂに対応する液晶分子と同じ方向に平行に傾くようにすることにより、液晶表示装置の輝度を増加させる。
【０１０３】
上述したように、第１の副画素電極１９１ａ及び第２の副画素電極１９１ｂの第１の枝電極１９２ａ及び第２の枝電極１９２ｂは、異なる方向に延びている複数の微細枝部１９４ａ、１９４ｂ、１９４ｃ、１９４ｄ、１９４ｅ、１９６ｆ、１９４ｇ、１９４ｈを有することにより、液晶分子は異なる方向に傾くものを有する。このため、液晶表示装置の視野角が広くなる。
【０１０４】
以下、図６乃至図１０を参照して、本発明の第１の実験例について説明する。図６乃至図１０は、本発明の第１の実験例の結果を示す電子顕微鏡写真である。
【０１０５】
本実験例においては、第１の副画素電極１９１ａに印加される電圧に対する第２の副画素電極１９１ｂに印加される電圧の割合を約０．８３にし、第１の副画素電極１９１ａと第２の副画素電極１９１ｂとの間の第１の間隔ｄ１を変化させながら、液晶表示装置の輝度の変化を電子顕微鏡にて観察したものを示す。
【０１０６】
図６は、第１の副画素電極１９１ａと第２の副画素電極１９１ｂとの間の第１の間隔ｄ１が約３．０μｍである場合の結果を示し、図７は、第１の副画素電極１９１ａと第２の副画素電極１９１ｂとの間の第１の間隔ｄ１が約３．５μｍである場合の結果を示し、図８は、第１の副画素電極１９１ａと第２の副画素電極１９１ｂとの間の第１の間隔ｄ１が約４．０μｍである場合の結果を示し、図９は、第１の副画素電極１９１ａと第２の副画素電極１９１ｂとの間の第１の間隔ｄ１が約４．５μｍである場合の結果を示し、図１０は、第１の副画素電極１９１ａと第２の副画素電極１９１ｂとの間の第１の間隔ｄ１が約５．０μｍである場合の結果を示す。
【０１０７】
図６乃至図１０を参照すると、第１の副画素電極１９１ａに印加される電圧に対する第２の副画素電極１９１ｂに印加される電圧の割合は約０．８３である場合、第１の副画素電極１９１ａと第２の副画素電極１９１ｂとの間の第１の間隔ｄ１が約４．０μｍ以下である場合、第１の副画素電極１９１ａと第２の副画素電極１９１ｂとの間の境界部において液晶分子の方向が好適に制御されるが、第１の副画素電極１９１ａと第２の副画素電極１９１ｂとの間の第１の間隔ｄ１が約４．０μｍよりも大きくなる場合、第１の副画素電極１９１ａと第２の副画素電極１９１ｂとの間の境界部において液晶分子の方向が好適に制御されず、不規則的な動きが発生して、液晶表示装置の輝度が減少することが分かる。
【０１０８】
このように、本発明の実施形態による液晶表示装置のように、第１の副画素電極１９１ａの第１の枝電極１９２ａと第２の副画素電極１９１ｂの第２の板状部分１９３ｂとの間の第１の間隔ｄ１が約４μｍ以下である場合、第１の副画素電極１９１ａに印加される電圧に対する第２の副画素電極１９１ｂに印加される電圧の割合は約０．８３まで形成しても第１の副画素電極１９１ａと第２の副画素電極１９１ｂとの間の境界部において液晶分子の方向が好適に制御されることが分かる。上述したように、第１の副画素電極１９１ａに印加される電圧に対する第２の副画素電極１９１ｂに印加される電圧の割合が小さくなるほど、第１の副画素電極１９１ａに印加される電圧と第２の副画素電極１９１ｂに印加される電圧との間の差分は大きくなり、これにより、第１の副画素電極１９１ａと第２の副画素電極１９１ｂとの間の境界部において液晶分子の方向がさらに好適に制御される。
【０１０９】
次いで、図１１及び図１２を参照して、本発明の第２の実験例について説明する。図１１及び図１２は、本発明の第２の実験例の結果を示す電子顕微鏡写真である。
【０１１０】
本実験例においては、第１の副画素電極１９１ａの第１の枝電極１９２ａと第２の副画素電極１９１ｂの第２の板状部分１９３ｂとの間の第１の間隔ｄ１を約４．５μｍに形成し、第１の副画素電極１９１ａに印加される電圧に対する第２の副画素電極１９１ｂに印加される電圧の割合が約０．８３である場合及び約０．７５である場合に対し、液晶表示装置の輝度の変化を電子顕微鏡にて観察して示す。
【０１１１】
図１１及び図１２を参照すると、第１の副画素電極１９１ａの第１の枝電極１９２ａと第２の副画素電極１９１ｂの第２の板状部分１９３ｂとの間の第１の間隔ｄ１が約４．５μｍである場合、第１の副画素電極１９１ａに印加される電圧に対する第２の副画素電極１９１ｂに印加される電圧の割合が０．７５に等しいかそれよりも小さくなければ、第１の副画素電極１９１ａと第２の副画素電極１９１ｂとの間の境界部において液晶分子の方向が制御されないことが分かる。第１の副画素電極１９１ａの第１の枝電極１９２ａと第２の副画素電極１９１ｂの第２の板状部分１９３ｂとの間の第１の間隔ｄ１が約４．５μｍであり、第１の副画素電極１９１ａに印加される電圧に対する第２の副画素電極１９１ｂに印加される電圧の割合が約０．８３である場合、第１の副画素電極１９１ａと第２の副画素電極１９１ｂとの間の境界部において液晶分子の方向が制御されずに、不規則的な動きが発生して、液晶表示装置の輝度が減少することが分かる。
【０１１２】
次いで、図１３及び図１４を参照して、本発明の他の実験例について説明する。図１３及び図１４は、本発明の第３の実験例の結果を示す電子顕微鏡写真である。
【０１１３】
本実験例においては、第１の副画素電極１９１ａの第１の枝電極１９２ａと第２の副画素電極１９１ｂの第２の板状部分１９３ｂとの間の第１の間隔ｄ１を約５．０μｍに形成し、第１の副画素電極１９１ａに印加される電圧に対する第２の副画素電極１９１ｂに印加される電圧の割合が約０．７５である場合及び約０．７０である場合に対し、液晶表示装置の輝度の変化を電子顕微鏡にて観察して示す。
【０１１４】
図１３及び図１４を参照すると、第１の副画素電極１９１ａの第１の枝電極１９２ａと第２の副画素電極１９１ｂの第２の板状部分１９３ｂとの間の第１の間隔ｄ１が約５．０μｍである場合、第１の副画素電極１９１ａに印加される電圧に対する第２の副画素電極１９１ｂに印加される電圧の割合が０．７０に等しいかそれよりも小さくなければ、第１の副画素電極１９１ａと第２の副画素電極１９１ｂとの間の境界部において液晶分子の方向が制御されないことが分かる。第１の副画素電極１９１ａの第１の枝電極１９２ａと第２の副画素電極１９１ｂの第２の板状部分１９３ｂとの間の第１の間隔ｄ１が約５．０μｍであり、第１の副画素電極１９１ａに印加される電圧に対する第２の副画素電極１９１ｂに印加される電圧の割合が約０．７５である場合、第１の副画素電極１９１ａと第２の副画素電極１９１ｂとの間の境界部において液晶分子の方向が制御されず、不規則的な動きが発生して、液晶表示装置の輝度が減少することが分かる。
【０１１５】
このように、本発明の実施形態による液晶表示装置のように、第１の副画素電極１９１ａの第１の枝電極１９２ａと第２の副画素電極１９１ｂの第２の板状部分１９３ｂとの間の第１の間隔ｄ１が約４μｍ以下である場合、第１の副画素電極１９１ａに印加される電圧に対する第２の副画素電極１９１ｂに印加される電圧の割合は約０．８３以下に形成し、第１の副画素電極１９１ａの第１の枝電極１９２ａと第２の副画素電極１９１ｂの第２の板状部分１９３ｂとの間の第１の間隔ｄ１が約４μｍよりも大きくて約４．５μｍ以下である場合、第１の副画素電極１９１ａに印加される電圧に対する第２の副画素電極１９１ｂに印加される電圧の割合は約０．７５以下に形成し、第１の副画素電極１９１ａの第１の枝電極１９２ａと第２の副画素電極１９１ｂの第２の板状部分１９３ｂとの間の第１の間隔ｄ１が約４．５μｍよりも大きくて約５μｍよりも小さい場合、第１の副画素電極１９１ａに印加される電圧に対する第２の副画素電極１９１ｂに印加される電圧の割合は約０．７よりも大きく、約０．７５よりも小さく形成し、第１の副画素電極１９１ａの第１の枝電極１９２ａと第２の副画素電極１９１ｂの第２の板状部分１９３ｂとの間の第１の間隔ｄ１が約５μｍ以上である場合、第１の副画素電極１９１ａに印加される電圧に対する第２の副画素電極１９１ｂに印加される電圧の割合は約０．７以下に形成すれば、第１の副画素電極１９１ａと第２の副画素電極１９１ｂとの間の境界部において液晶分子の方向が制御されることが分かる。
【０１１６】
本発明の実施形態による液晶表示装置によれば、相対的に高い電圧が印加される第１の副画素電極を画素領域の中央部に形成し、第２の副画素電極を第１の副画素電極の外郭に形成し、第１の副画素電極と第２の副画素電極との間の間隔に応じて第１の副画素電極及び第２の副画素電極に加えられる電圧の比を調節することにより、第１の副画素電極と第２の副画素電極との間の境界部において液晶分子の方向を制御して、液晶表示装置の輝度が増加する。また、第１の副画素電極及び第２の副画素電極の外周縁に複数の枝電極を形成することにより、液晶表示装置の液晶分子が傾く方向を多様化させながらも、第１の副画素電極及び第２の副画素電極の全体に複数の枝電極を形成する場合に比べて、液晶表示装置の輝度を増加させることができる。
【０１１７】
以下、図１５を参照して、本発明の他の実施形態による液晶表示装置の電場生成電極の基本領域についてさらに詳しく説明する。図１５は、本発明の一実施形態による液晶表示装置の電場生成電極の基本領域を示す平面図である。
【０１１８】
図１５を参照すると、本発明の実施形態による液晶表示装置の電場生成電極の基本領域は、図３に示す実施形態による液晶表示装置の電場生成電極の基本領域と同様である。
【０１１９】
図１５に示すように、本発明の実施形態による液晶表示装置の電場生成電極の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【０１２０】
共通電極２７０の切欠部２７１は、平面視において、十字状を有してもよい。
【０１２１】
第１の副画素電極１９１ａの周縁には、複数の第１の枝電極１９２ａが形成されている。複数の第１の枝電極１９２ａは、ひし形の形状を有する第１の板状部分１９３ａから延出している。すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【０１２２】
第１の副画素電極１９１ａの第１の板状部分１９３ａの中心部分は、共通電極２７０に形成されている十字状の切欠部２７１の中心部分と重なり合う。
【０１２３】
第１の副画素電極１９１ａの第１の枝電極１９２ａは、異なる方向に延びている。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【０１２４】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【０１２５】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【０１２６】
第１乃至第４の微細枝部１９４ａ、１９４ｂ、１９４ｃ、１９４ｄ及び第５乃至第８の微細枝部１９４ｅ、１９６ｆ、１９４ｇ、１９４ｈは、ゲート線１２１が延びている第１の方向Ｄ１と略４５°又は１３５°をなしてもよい。また、異なる方向に延びており、隣り合う２つの微細枝部１９４ａ、１９４ｂ、１９４ｃ、１９４ｄ、１９４ｅ、１９６ｆ、１９４ｇ、１９４ｈは互いに直交してもよい。
【０１２７】
本発明の実施形態による液晶表示装置の基本電極１９９の第１の副画素電極１９１ａの第１の板状部分１９３ａの周縁は、ゲート線１２１が延びている第１の方向Ｄ１と約４５°よりも大きいか、あるいは、約１３５°よりも小さい角度をなす。より具体的に、第１の副画素電極１９１ａの第１の板状部分１９３ａの周縁とゲート線１２１が延びている第１の方向Ｄ１がなす第１の角度θ１は、約４５°よりも大きい。すなわち、液晶表示装置の基本電極１９９の第１の副画素電極１９１ａの第１の板状部分１９３ａの幅のうち、ゲート線１２１が延びている第１の方向Ｄ１に沿って測定した第１の幅が、第１の方向Ｄ１と垂直をなす方向に沿って測定した第２の幅よりも狭い。
【０１２８】
基本電極１９９の第１の副画素電極１９１ａの第１の板状部分１９３ａの周縁において液晶分子は、第１の板状部分１９３ａの周縁と垂直をなす方向に加えられるフリンジフィールドにより第１の板状部分１９３ａの周縁と垂直をなす方向に傾く。
【０１２９】
第１の副画素電極１９１ａの第１の枝電極１９２ａ及び第２の副画素電極１９１ｂの第２の枝電極１９２ｂの近くの液晶分子は、第１の副画素電極１９１ａの第１の枝電極１９２ａ及び第２の副画素電極１９１ｂの第２の枝電極１９２ｂの長手方向と平行な方向に傾く。すなわち、第１の方向Ｄ１と約４５°又は約１３５°をなす方向に傾く。
【０１３０】
本発明の実施形態による液晶表示装置によれば、基本電極１９９の第１の副画素電極１９１ａの第１の板状部分１９３ａの周縁とゲート線１２１が延びている第１の方向Ｄ１とのなす角度を４５°と異ならせて形成することにより、基本電極１９９の第１の副画素電極１９１ａの第１の板状部分１９３ａの周縁の近くにおいて液晶分子が傾く方向は、第１の方向Ｄ１と４５°又は１３５°ではなく、第１の副画素電極１９１ａの第１の枝電極１９２ａ及び第２の副画素電極１９１ｂの第２の枝電極１９２ｂの近くの液晶分子は、第１の方向Ｄ１と約４５°又は約１３５°をなす方向に傾く。
【０１３１】
このように、液晶分子が傾く方向を多様化させることにより、液晶表示装置の側面における視認性を向上させることができる。
【０１３２】
また、上述したように、本発明の実施形態による液晶表示装置によれば、相対的に高い電圧が印加される第１の副画素電極１９１ａを共通電極２７０の十字状の切欠部２７１の中心部分と重なり合うように中央部分に形成し、第１の副画素電極１９１ａの周縁に複数の第１の枝電極１９２ａを形成する。また、第１の副画素電極１９１ａの周縁に相対的に低い電圧が印加される第２の副画素電極１９１ｂを配設し、第２の副画素電極１９１ｂの周縁に複数の第２の枝電極１９２ｂを形成する。これとともに、第１の副画素電極１９１ａと第２の副画素電極１９１ｂとの間の第１の間隔ｄ１に応じて第１の副画素電極１９１ａ及び第２の副画素電極１９１ｂに印加される電圧の比を調節することにより、第１の副画素電極１９１ａと第２の副画素電極１９１ｂとの間の境界に位置する液晶分子が第１の副画素電極１９１ａに対応する液晶分子及び第２の副画素電極１９１ｂに対応する液晶分子と同じ方向に平行に傾くようにすることにより、液晶表示装置の輝度を増加させる。
【０１３３】
上述したように、第１の副画素電極１９１ａ及び第２の副画素電極１９１ｂの第１の枝電極１９２ａ及び第２の枝電極１９２ｂは、異なる方向に延びている複数の微細枝部１９４ａ、１９４ｂ、１９４ｃ、１９４ｄ、１９４ｅ、１９６ｆ、１９４ｇ、１９４ｈを有することにより、液晶分子は異なる方向に傾くものがある。このため、液晶表示装置の視野角が広くなる。
【０１３４】
以下、図１６を参照して、本発明の他の実施形態による液晶表示装置の電場生成電極の基本領域についてさらに詳しく説明する。図１６は、本発明の一実施形態による液晶表示装置の電場生成電極の基本領域を示す平面図である。
【０１３５】
図１６を参照すると、本発明の実施形態による液晶表示装置の電場生成電極の基本領域は、図３に示す実施形態による液晶表示装置の電場生成電極の基本領域と同様である。
【０１３６】
図１６に示すように、本発明の実施形態による液晶表示装置の電場生成電極の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【０１３７】
共通電極２７０の切欠部２７１は、平面視において、十字状を有してもよい。
【０１３８】
第１の副画素電極１９１ａの周縁には、複数の第１の枝電極１９２ａが形成されている。複数の第１の枝電極１９２ａは、ひし形を有する第１の板状部分１９３ａから延出している。すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【０１３９】
第１の副画素電極１９１ａの第１の板状部分１９３ａの中心部分は、共通電極２７０に形成されている十字状の切欠部２７１の中心部分と重なり合う。
【０１４０】
第１の副画素電極１９１ａの第１の枝電極１９２ａは、異なる方向に延びているものを有する。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【０１４１】
第１の副画素電極１９１ａの第１の枝電極１９２ａは、ゲート線１２１が延びている第１の方向Ｄ１と約４５°よりも小さいか、あるいは、約１３５°よりも大きい角度をなしてもよい。より具体的に、第１の副画素電極１９１ａの第１の枝電極１９２ａとゲート線１２１が延びている第１の方向Ｄ１がなす第２の角度θ２は、約４５°よりも小さいか、あるいは、約１３５°よりも大きい。
【０１４２】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【０１４３】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【０１４４】
第５乃至第８の微細枝部１９４ｅ、１９６ｆ、１９４ｇ、１９４ｈは、ゲート線１２１が延びている第１の方向Ｄ１と略４５°又は１３５°をなしてもよい。
【０１４５】
上述したように、本発明の実施形態による液晶表示装置の基本電極１９９の第１の副画素電極１９１ａの第１の枝電極１９２ａとゲート線１２１が延びている第１の方向Ｄ１がなす第２の角度θ２は、約４５°よりも小さいか、あるいは、約１３５°よりも大きい。
【０１４６】
第１の副画素電極１９１ａの第１の枝電極１９２ａ及び第２の副画素電極１９１ｂの第２の枝電極１９２ｂの近くの液晶分子は、第１の副画素電極１９１ａの第１の枝電極１９２ａ及び第２の副画素電極１９１ｂの第２の枝電極１９２ｂの長手方向と平行な方向に傾く。すなわち、第１の枝電極１９２ａの周りの液晶分子は、第１の方向Ｄ１と約４５°よりも小さいか、あるいは、約１３５°よりも大きい角度をなす方向に傾き、第２の枝電極１９２ｂの周りの液晶分子は、第１の方向Ｄ１と約４５°又は約１３５°をなす方向に傾く。
【０１４７】
このように、液晶分子が傾く方向を多様化させることにより、液晶表示装置の側面における視認性を向上させることができる。
【０１４８】
また、上述したように、本発明の実施形態による液晶表示装置によれば、相対的に高い電圧が印加される第１の副画素電極１９１ａを共通電極２７０の十字状の切欠部２７１の中心部分と重なり合うように中央部分に形成し、第１の副画素電極１９１ａの周縁に複数の第１の枝電極１９２ａを形成する。また、第１の副画素電極１９１ａの周縁に相対的に低い電圧が印加される第２の副画素電極１９１ｂを配設し、第２の副画素電極１９１ｂの周縁に複数の第２の枝電極１９２ｂを形成する。これとともに、第１の副画素電極１９１ａと第２の副画素電極１９１ｂとの間の第１の間隔ｄ１に応じて第１の副画素電極１９１ａ及び第２の副画素電極１９１ｂに印加される電圧の比を調節することにより、第１の副画素電極１９１ａと第２の副画素電極１９１ｂとの間の境界に位置する液晶分子が第１の副画素電極１９１ａに対応する液晶分子及び第２の副画素電極１９１ｂに対応する液晶分子と同じ方向に平行に傾くようにすることにより、液晶表示装置の輝度を増加させる。
【０１４９】
上述したように、第１の副画素電極１９１ａ及び第２の副画素電極１９１ｂの第１の枝電極１９２ａ及び第２の枝電極１９２ｂは、異なる方向に延びている複数の微細枝部１９４ａ、１９４ｂ、１９４ｃ、１９４ｄ、１９４ｅ、１９６ｆ、１９４ｇ、１９４ｈを有することにより、液晶分子は異なる方向に傾くものがある。このため、液晶表示装置の視野角が広くなる。
【０１５０】
以下、図１７を参照して、本発明の他の実施形態による液晶表示装置の電場生成電極の基本領域についてさらに詳しく説明する。図１７は、本発明の一実施形態による液晶表示装置の電場生成電極の基本領域を示す平面図である。
【０１５１】
図１７を参照すると、本発明の実施形態による液晶表示装置の電場生成電極の基本領域は、図３に示す実施形態による液晶表示装置の電場生成電極の基本領域と同様である。
【０１５２】
図１７に示すように、本発明の実施形態による液晶表示装置の電場生成電極の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【０１５３】
共通電極２７０の切欠部２７１は、平面視において、十字状を有してもよい。
【０１５４】
第１の副画素電極１９１ａの周縁には、複数の第１の枝電極１９２ａが形成されている。複数の第１の枝電極１９２ａは、ひし形を有する第１の板状部分１９３ａから延出している。すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【０１５５】
第１の副画素電極１９１ａの第１の板状部分１９３ａの中心部分は、共通電極２７０に形成されている十字状の切欠部２７１の中心部分と重なり合う。
【０１５６】
第１の副画素電極１９１ａの第１の枝電極１９２ａは、異なる方向に延びている。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【０１５７】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【０１５８】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【０１５９】
第１乃至第４の微細枝部１９４ａ、１９４ｂ、１９４ｃ、１９４ｄ及び第５乃至第８の微細枝部１９４ｅ、１９６ｆ、１９４ｇ、１９４ｈは、ゲート線１２１が延びている第１の方向Ｄ１と略４５°又は１３５°をなしてもよい。また、異なる方向に延びており、隣り合う２つの微細枝部１９４ａ、１９４ｂ、１９４ｃ、１９４ｄ、１９４ｅ、１９６ｆ、１９４ｇ、１９４ｈは、互いに直交してもよい。
【０１６０】
本発明の実施形態による液晶表示装置の基本電極１９９の第１の副画素電極１９１ａの第１の枝電極１９２ａと隣り合う第２の副画素電極１９１ｂの第２の板状部分１９３ｂの周縁は、ゲート線１２１が延びている第１の方向Ｄ１と約４５°よりも大きいか、あるいは、約１３５°よりも小さい角度をなす。より具体的に、第１の副画素電極１９１ａの第１の枝電極１９２ａと隣り合う第２の副画素電極１９１ｂの第２の板状部分１９３ｂの周縁とゲート線１２１が延びている第１の方向Ｄ１がなす第３の角度θ３は、約４５°よりも大きいか、あるいは、約１３５°よりも小さい。
【０１６１】
基本電極１９９の第２の副画素電極１９１ｂの第２の板状部分１９３ｂの周縁において液晶分子は、第２の板状部分１９３ｂの周縁と垂直をなす方向に加えられるフリンジフィールドにより、第２の板状部分１９３ｂの周縁と垂直をなす方向に傾く。
【０１６２】
第１の副画素電極１９１ａの第１の枝電極１９２ａ及び第２の副画素電極１９１ｂの第２の枝電極１９２ｂの近くの液晶分子は、第１の副画素電極１９１ａの第１の枝電極１９２ａ及び第２の副画素電極１９１ｂの第２の枝電極１９２ｂの長手方向と平行な方向に傾く。すなわち、第１の方向Ｄ１と約４５°又は約１３５°をなす方向に傾く。
【０１６３】
本発明の実施形態による液晶表示装置によれば、基本電極１９９の第１の副画素電極１９１ａの第１の枝電極１９２ａと隣り合う第２の副画素電極１９１ｂの第２の板状部分１９３ｂの周縁とゲート線１２１が延びている第１の方向Ｄ１がなす角度を４５°と異ならせて形成することにより、基本電極１９９の第１の副画素電極１９１ａの第１の板状部分１９３ａの周縁の近くにおいて液晶分子が傾く方向は、第１の方向Ｄ１と４５°又は１３５°ではなく、第１の副画素電極１９１ａの第１の枝電極１９２ａ及び第２の副画素電極１９１ｂの第２の枝電極１９２ｂの近くの液晶分子は、第１の方向Ｄ１と約４５°又は約１３５°をなす方向に傾く。
【０１６４】
このように、液晶分子が傾く方向を多様化させることにより、液晶表示装置の側面における視認性を向上させることができる。
【０１６５】
また、上述したように、本発明の実施形態による液晶表示装置によれば、相対的に高い電圧が印加される第１の副画素電極１９１ａを共通電極２７０の十字状の切欠部２７１の中心部分と重なり合うように中央部分に形成し、第１の副画素電極１９１ａの周縁に複数の第１の枝電極１９２ａを形成する。また、第１の副画素電極１９１ａの周縁に相対的に低い電圧が印加される第２の副画素電極１９１ｂを配設し、第２の副画素電極１９１ｂの周縁に複数の第２の枝電極１９２ｂを形成する。これとともに、第１の副画素電極１９１ａと第２の副画素電極１９１ｂとの間の第１の間隔ｄ１に応じて第１の副画素電極１９１ａ及び第２の副画素電極１９１ｂに印加される電圧の比を調節することにより、第１の副画素電極１９１ａと第２の副画素電極１９１ｂとの間の境界に位置する液晶分子が第１の副画素電極１９１ａに対応する液晶分子及び第２の副画素電極１９１ｂに対応する液晶分子と同じ方向に平行に傾くようにすることにより、液晶表示装置の輝度を増加させる。
【０１６６】
上述したように、第１の副画素電極１９１ａ及び第２の副画素電極１９１ｂの第１の枝電極１９２ａ及び第２の枝電極１９２ｂは、異なる方向に延びている複数の微細枝部１９４ａ、１９４ｂ、１９４ｃ、１９４ｄ、１９４ｅ、１９６ｆ、１９４ｇ、１９４ｈを有することにより、液晶分子は異なる方向に傾く。このため、液晶表示装置の視野角が広くなる。
【０１６７】
以下、図１８を参照して、本発明の他の実施形態による液晶表示装置の電場生成電極の基本領域についてさらに詳しく説明する。図１８は、本発明の一実施形態による液晶表示装置の電場生成電極の基本領域を示す平面図である。
【０１６８】
図１８を参照すると、本発明の実施形態による液晶表示装置の電場生成電極の基本領域は、図３に示す実施形態による液晶表示装置の電場生成電極の基本領域と同様である。
【０１６９】
図１８に示すように、本発明の実施形態による液晶表示装置の電場生成電極の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【０１７０】
共通電極２７０の切欠部２７１は、平面視において、十字状を有してもよい。
【０１７１】
第１の副画素電極１９１ａの周縁には、複数の第１の枝電極１９２ａが形成されている。複数の第１の枝電極１９２ａは、ひし形を有する第１の板状部分１９３ａから延出している。すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【０１７２】
第１の副画素電極１９１ａの第１の板状部分１９３ａの中心部分は、共通電極２７０に形成されている十字状の切欠部２７１の中心部分と重なり合う。
【０１７３】
第１の副画素電極１９１ａの第１の枝電極１９２ａは、異なる方向に延びている。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【０１７４】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【０１７５】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【０１７６】
第１乃至第４の微細枝部１９４ａ、１９４ｂ、１９４ｃ、１９４ｄ及び第５乃至第８の微細枝部１９４ｅ、１９６ｆ、１９４ｇ、１９４ｈは、ゲート線１２１が延びている第１の方向Ｄ１と略４５°又は１３５°をなしてもよい。また、異なる方向に延びており、隣り合う２つの微細枝部１９４ａ、１９４ｂ、１９４ｃ、１９４ｄ、１９４ｅ、１９６ｆ、１９４ｇ、１９４ｈは、互いに直交してもよい。
【０１７７】
本発明の実施形態による液晶表示装置の基本電極１９９の第１の副画素電極１９１ａの第１の板状部分１９３ａの外周縁は、ゲート線１２１が延びている第１の方向Ｄ１と約４５°よりも小さいか、あるいは、約１３５°よりも大きい角度をなし、基本電極１９９の第２の副画素電極１９１ｂの第２の板状部分１９３ｂの周縁は、ゲート線１２１が延びている第１の方向Ｄ１と約４５°よりも小さいか、あるいは、約１３５°よりも大きい角度をなす。より具体的に、第１の副画素電極１９１ａの第１の板状部分１９３ａの周縁とゲート線１２１が延びている第１の方向Ｄ１がなす第４の角度θ４ａと、第２の副画素電極１９１ｂの第２の板状部分１９３ｂの外周縁とゲート線１２１が延びている第１の方向Ｄ１がなす第５の角度θ４ｂ及び第１の副画素電極１９１ａの第１の枝電極１９２ａと隣り合う第２の副画素電極１９１ｂの第２の板状部分１９３ｂの周縁とゲート線１２１が延びている第１の方向Ｄ１がなす第６の角度θ４ｃは、約４５°よりも小さいか、あるいは、約１３５°よりも大きい。
【０１７８】
基本電極１９９の第１の副画素電極１９１ａの第１の板状部分１９３ａ及び第２の副画素電極１９１ｂの第２の板状部分１９３ｂの周縁において液晶分子は、第２の板状部分１９３ｂの周縁と垂直をなす方向に加えられるフリンジフィールドにより、第２の板状部分１９３ｂの周縁と垂直をなす方向に傾く。
【０１７９】
第１の副画素電極１９１ａの第１の枝電極１９２ａ及び第２の副画素電極１９１ｂの第２の枝電極１９２ｂの近くの液晶分子は、第１の副画素電極１９１ａの第１の枝電極１９２ａ及び第２の副画素電極１９１ｂの第２の枝電極１９２ｂの長手方向と平行な方向に傾く。すなわち、第１の方向Ｄ１と約４５°又は約１３５°をなす方向に傾く。
【０１８０】
本発明の実施形態による液晶表示装置によれば、基本電極１９９の第１の副画素電極１９１ａの第１の板状部分１９３ａ及び第２の副画素電極１９１ｂの第２の板状部分１９３ｂの周縁とゲート線１２１が延びている第１の方向Ｄ１がなす角度を４５°と異ならせて形成することにより、基本電極１９９の第１の副画素電極１９１ａの第１の板状部分１９３ａ及び第２の副画素電極１９１ｂの第２の板状部分１９３ｂの周縁の近くにおいて液晶分子が傾く方向は、第１の方向Ｄ１と４５°又は１３５°ではなく、第１の副画素電極１９１ａの第１の枝電極１９２ａ及び第２の副画素電極１９１ｂの第２の枝電極１９２ｂの近くの液晶分子は、第１の方向Ｄ１と約４５°又は約１３５°をなす方向に傾く。
【０１８１】
このように、液晶分子が傾く方向を多様化させることにより、液晶表示装置の側面における視認性を向上させることができる。
【０１８２】
また、上述したように、本発明の実施形態による液晶表示装置によれば、相対的に高い電圧が印加される第１の副画素電極１９１ａを共通電極２７０の十字状の切欠部２７１の中心部分と重なり合うように中央部分に形成し、第１の副画素電極１９１ａの周縁に複数の第１の枝電極１９２ａを形成する。また、第１の副画素電極１９１ａの周縁に相対的に低い電圧が印加される第２の副画素電極１９１ｂを配設し、第２の副画素電極１９１ｂの周縁に複数の第２の枝電極１９２ｂを形成する。これとともに、第１の副画素電極１９１ａと第２の副画素電極１９１ｂとの間の第１の間隔ｄ１に応じて第１の副画素電極１９１ａ及び第２の副画素電極１９１ｂに印加される電圧の比を調節することにより、第１の副画素電極１９１ａと第２の副画素電極１９１ｂとの間の境界に位置する液晶分子が第１の副画素電極１９１ａに対応する液晶分子及び第２の副画素電極１９１ｂに対応する液晶分子と同じ方向に平行に傾くようにすることにより、液晶表示装置の輝度を増加させる。
【０１８３】
上述したように、第１の副画素電極１９１ａ及び第２の副画素電極１９１ｂの第１の枝電極１９２ａ及び第２の枝電極１９２ｂは、異なる方向に延びている複数の微細枝部１９４ａ、１９４ｂ、１９４ｃ、１９４ｄ、１９４ｅ、１９６ｆ、１９４ｇ、１９４ｈを有することにより、液晶分子は異なる方向に傾く。このため、液晶表示装置の視野角が広くなる。
【０１８４】
以下、図１９を参照して、本発明の他の実施形態による液晶表示装置の電場生成電極の基本領域についてさらに詳しく説明する。図１９は、本発明の一実施形態による液晶表示装置の電場生成電極の基本領域を示す平面図である。
【０１８５】
図１９を参照すると、本発明の実施形態による液晶表示装置の電場生成電極の基本領域は、図３に示す実施形態による液晶表示装置の電場生成電極の基本領域と同様である。
【０１８６】
図１９に示すように、本発明の実施形態による液晶表示装置の電場生成電極の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【０１８７】
共通電極２７０の切欠部２７１は、平面視において、十字状を有してもよい。
【０１８８】
第１の副画素電極１９１ａの周縁には、複数の第１の枝電極１９２ａが形成されている。複数の第１の枝電極１９２ａは、ひし形を有する第１の板状部分１９３ａから延出している。すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【０１８９】
第１の副画素電極１９１ａの第１の板状部分１９３ａの中心部分は、共通電極２７０に形成されている十字状の切欠部２７１の中心部分と重なり合う。
【０１９０】
第１の副画素電極１９１ａの第１の枝電極１９２ａは、異なる方向に延びている。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【０１９１】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【０１９２】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【０１９３】
第１乃至第４の微細枝部１９４ａ、１９４ｂ、１９４ｃ、１９４ｄ及び第５乃至第８の微細枝部１９４ｅ、１９６ｆ、１９４ｇ、１９４ｈは、ゲート線１２１が延びている第１の方向Ｄ１と略４５°又は１３５°をなしてもよい。また、異なる方向に延びており、隣り合う２つの微細枝部１９４ａ、１９４ｂ、１９４ｃ、１９４ｄ、１９４ｅ、１９６ｆ、１９４ｇ、１９４ｈは、互いに直交してもよい。
【０１９４】
本発明の実施形態による液晶表示装置の基本電極１９９の第１の副画素電極１９１ａの第１の板状部分１９３ａの外周縁は、ゲート線１２１が延びている第１の方向Ｄ１と約４５°よりも小さいか、あるいは、約１３５°よりも大きい角度をなし、基本電極１９９の第２の副画素電極１９１ｂの第２の板状部分１９３ｂの周縁のうち第１の副画素電極１９１ａと隣り合う周縁は、ゲート線１２１が延びている第１の方向Ｄ１と約４５°よりも小さいか、あるいは、約１３５°よりも大きい角度をなす。より具体的に、第１の副画素電極１９１ａの第１の板状部分１９３ａの周縁とゲート線１２１が延びている第１の方向Ｄ１がなす第７の角度θ５ａと、第２の副画素電極１９１ｂの第２の板状部分１９３ｂの周縁のうち第１の副画素電極１９１ａの第１の枝電極１９２ａと隣り合う周縁とゲート線１２１が延びている第１の方向Ｄ１がなす第８の角度θ５ｂは、約４５°よりも小さいか、あるいは、約１３５°よりも大きい。
【０１９５】
基本電極１９９の第１の副画素電極１９１ａの第１の板状部分１９３ａ及び第２の副画素電極１９１ｂの第２の板状部分１９３ｂの周縁において液晶分子は、第２の板状部分１９３ｂの周縁と垂直をなす方向に加えられるフリンジフィールドにより、第２の板状部分１９３ｂの周縁と垂直をなす方向に傾く。
【０１９６】
第１の副画素電極１９１ａの第１の枝電極１９２ａ及び第２の副画素電極１９１ｂの第２の枝電極１９２ｂの近くの液晶分子は、第１の副画素電極１９１ａの第１の枝電極１９２ａ及び第２の副画素電極１９１ｂの第２の枝電極１９２ｂの長手方向と平行な方向に傾く。すなわち、第１の方向Ｄ１と約４５°又は約１３５°をなす方向に傾く。
【０１９７】
本発明の実施形態による液晶表示装置によれば、基本電極１９９の第１の副画素電極１９１ａの第１の板状部分１９３ａの外周縁と第２の副画素電極１９１ｂの第２の板状部分１９３ｂの周縁のうち第１の副画素電極１９１ａと隣り合う周縁がゲート線１２１が延びている第１の方向Ｄ１がなす角度を４５°と異ならせて形成することにより、基本電極１９９の第１の副画素電極１９１ａの第１の板状部分１９３ａ及び第２の副画素電極１９１ｂの第２の板状部分１９３ｂの周縁の近くにおいて液晶分子が傾く方向は、第１の方向Ｄ１と４５°又は１３５°ではなくて、第１の副画素電極１９１ａの第１の枝電極１９２ａ及び第２の副画素電極１９１ｂの第２の枝電極１９２ｂの近くの液晶分子は、第１の方向Ｄ１と約４５°又は約１３５°をなす方向に傾く。
【０１９８】
このように、液晶分子が傾く方向を多様化させることにより、液晶表示装置の側面における視認性を向上させることができる。
【０１９９】
また、上述したように、本発明の実施形態による液晶表示装置によれば、相対的に高い電圧が印加される第１の副画素電極１９１ａを共通電極２７０の十字状の切欠部２７１の中心部分と重なり合うように中央部分に形成し、第１の副画素電極１９１ａの周縁に複数の第１の枝電極１９２ａを形成する。また、第１の副画素電極１９１ａの周縁に相対的に低い電圧が印加される第２の副画素電極１９１ｂを配設し、第２の副画素電極１９１ｂの周縁に複数の第２の枝電極１９２ｂを形成する。これとともに、第１の副画素電極１９１ａと第２の副画素電極１９１ｂとの間の第１の間隔ｄ１に応じて第１の副画素電極１９１ａ及び第２の副画素電極１９１ｂに印加される電圧の比を調節することにより、第１の副画素電極１９１ａと第２の副画素電極１９１ｂとの間の境界に位置する液晶分子が第１の副画素電極１９１ａに対応する液晶分子及び第２の副画素電極１９１ｂに対応する液晶分子と同じ方向に平行に傾くようにすることにより、液晶表示装置の輝度を増加させる。
【０２００】
上述したように、第１の副画素電極１９１ａ及び第２の副画素電極１９１ｂの第１の枝電極１９２ａ及び第２の枝電極１９２ｂは、異なる方向に延びている複数の微細枝部１９４ａ、１９４ｂ、１９４ｃ、１９４ｄ、１９４ｅ、１９６ｆ、１９４ｇ、１９４ｈを有することにより、液晶分子は異なる方向に傾くものがある。このため、液晶表示装置の視野角が広くなる。
【０２０１】
以下、図２０を参照して、本発明の第４の実験例について説明する。図２０は、本発明の第４の実験例の結果を示すグラフである。
【０２０２】
本実験例においては、図３に示す実施形態による基本電極を有する液晶表示装置の側面における階調別の透過率を測定し、図１９に示す実施形態による基本電極を有する液晶表示装置の側面における階調別の透過率を測定して、液晶表示装置の正面における階調別の透過率と比較して、その結果を図２０に示す。
【０２０３】
図２０において、液晶表示装置の正面における階調別の透過率はＸとし、図３に示す実施形態による基本電極を有する液晶表示装置の側面における階調別の透過率はＹ１とし、図１９に示す実施形態による基本電極を有する液晶表示装置の側面における階調別の透過率はＹ２とする。
【０２０４】
図２０を参照すると、図３に示す実施形態による基本電極を有する液晶表示装置に比べて、図１９に示す実施形態による基本電極を有する液晶表示装置の場合、側面における階調別の透過率は、液晶表示装置の正面における階調別の透過率と一層近くなったことが分かる。
【０２０５】
このように、液晶分子が傾く方向をさらに多様化させることにより、液晶表示装置の側面における視認性が改善されることが分かる。
【０２０６】
以下、図２１を参照して、本発明の他の実施形態による液晶表示装置の電場生成電極の基本領域について説明する。図２１は、本発明の他の実施形態による液晶表示装置の電場生成電極の基本領域を示す平面図である。
【０２０７】
図２１に示すように、本発明の実施形態による液晶表示装置の電場生成電極の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【０２０８】
共通電極２７０の切欠部２７１は、平面視において、十字状を有してもよい。
【０２０９】
第１の副画素電極１９１ａの周縁には、複数の第１の枝電極１９２ａが形成されている。複数の第１の枝電極１９２ａは、ひし形を有する第１の板状部分１９３ａから延出している。すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【０２１０】
第１の副画素電極１９１ａの第１の板状部分１９３ａの中心部分は、共通電極２７０に形成されている十字状の切欠部２７１の中心部分と重なり合う。
【０２１１】
第１の副画素電極１９１ａの第１の枝電極１９２ａは、異なる方向に延びているものを有する。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【０２１２】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【０２１３】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【０２１４】
第１乃至第４の微細枝部１９４ａ、１９４ｂ、１９４ｃ、１９４ｄ及び第５乃至第８の微細枝部１９４ｅ、１９６ｆ、１９４ｇ、１９４ｈは、ゲート線１２１が延びている第１の方向Ｄ１と略４５°又は１３５°をなしてもよい。また、異なる方向に延びており、隣り合う２つの微細枝部１９４ａ、１９４ｂ、１９４ｃ、１９４ｄ、１９４ｅ、１９６ｆ、１９４ｇ、１９４ｈは、互いに直交してもよい。
【０２１５】
本発明の実施形態による液晶表示装置の基本電極１９９は、図２１に部分Ｐａにて示すように、図３に示す実施形態による液晶表示装置の基本電極１９９に比べて、第２の副画素電極１９１ｂの第２の板状部分１９３ｂの幅が狭い。このため、第１の副画素電極１９１ａと第２の副画素電極１９１ｂとの間の境界部分に位置する液晶分子は、第２の副画素電極１９１ｂの第２の板状部分１９３ｂによるフリンジフィールドよりも第１の副画素電極１９１ａの第１の枝電極１９２ａ及び第２の副画素電極１９１ｂの第２の枝電極１９２ｂによるフリンジフィールドの影響をさらに多く受けることになる。このため、第１の副画素電極１９１ａと第２の副画素電極１９１ｂとの間の境界部分に位置する液晶分子は、第１の副画素電極１９１ａの第１の枝電極１９２ａ及び第２の副画素電極１９１ｂの第２の枝電極１９２ｂの長手方向と平行な方向に傾く。
【０２１６】
これについて、図２２を参照してさらに詳しく説明する。図２２は、本発明の他の実施形態による液晶表示装置の液晶分子の方向子の配列方向を示す断面図である。
【０２１７】
図２２を参照すると、第２の副画素電極１９１ｂの第２の枝電極１９２ｂの周縁と垂直をなす方向に第１のフリンジフィールドＦ１が発生し、これにより、第２の枝電極１９２ｂの周りに位置する第１の液晶分子３１ａは、第１のフリンジフィールドＦ１の方向と平行に傾いた後に互いに衝突して、第２の枝電極１９２ｂが延びている長手方向と平行な方向に傾く。
【０２１８】
第２の副画素電極１９１ｂの第２の板状部分１９３ｂの周縁のうち第２の枝電極１９２ｂと隣り合う第１の周縁に位置する第２の液晶分子３１ｂは、第２の板状部分１９３ｂの第１の周縁に発生する第２のフリンジフィールドＦ２の影響を受けて第２の板状部分１９３ｂの第１の周縁と垂直をなす方向に傾き、この方向は、第１の液晶分子３１ａが傾く方向と同様である。
【０２１９】
第２の副画素電極１９１ｂの第２の板状部分１９３ｂの周縁のうち第１の副画素電極１９１ａと隣り合う第２の周縁には第３のフリンジフィールドＦ３が発生し、第２の副画素電極１９１ｂの第２の板状部分１９３ｂの周縁のうち第１の副画素電極１９１ａと隣り合う第２の周縁と隣り合う第３の液晶分子３１ｃの第１の部分３１ｃ１は第３のフリンジフィールドＦ３の影響を受けて、第２の板状部分１９３ｂの第２の周縁と垂直をなす方向に傾く。この方向は、第１の液晶分子３１ａ及び第２の液晶分子３１ｂが傾く方向と反対である。
【０２２０】
また、第１の副画素電極１９１ａの第１の枝電極１９２ａの周縁のうち第２の副画素電極１９１ｂの第２の板状部分１９３ｂと隣り合う第３の周縁には第４のフリンジフィールドＦ４が発生し、第１の枝電極１９２ａの第３の周縁と隣り合う第４の液晶分子３１ｄは第４のフリンジフィールドＦ４と垂直をなす方向に傾く。この方向は、第１の液晶分子３１ａ及び第２の液晶分子３１ｂが傾く方向と同様である。
【０２２１】
上述したように、第１の副画素電極１９１ａに加えられる電圧は、第２の副画素電極１９１ｂに加えられる電圧よりも大きい。このため、第１の副画素電極１９１ａと共通電極２７０との間の電位差は、第２の副画素電極１９１ｂと共通電極２７０との間の電位差よりも大きく、これにより、第４のフリンジフィールドＦ４の大きさは、第３のフリンジフィールドＦ３の大きさよりも大きい。したがって、第１の副画素電極１９１ａと隣り合う第２の周縁と隣り合う第３の液晶分子３１ｃの第２の部分３１ｃ２は第４のフリンジフィールドＦ４の影響を受けて、第４のフリンジフィールドＦ４と垂直をなす方向に傾く。これにより、第３のフリンジフィールドＦ３の影響を受けて第３のフリンジフィールドＦ３と垂直をなす方向に傾こうとする第３の液晶分子３１ｃの第１の部分３１ｃ１も第４のフリンジフィールドＦ４の影響を受ける第３の液晶分子３１ｃの第２の部分３１ｃ２と平行に傾く。
【０２２２】
さらに、本発明の実施形態による液晶表示装置によれば、第２の副画素電極１９１ｂの第２の板状部分１９３ｂの幅は、第２の枝電極１９２ｂの長さよりも短い。このため、第１の副画素電極１９１ａと第２の副画素電極１９１ｂとの間の境界部分に位置する液晶分子は、第２の副画素電極１９１ｂの第２の板状部分１９３ｂによる第３のフリンジフィールドＦ３の影響よりも第２の副画素電極１９１ｂの第２の枝電極１９２ｂによる第１のフリンジフィールドＦ１の影響及び第１の副画素電極１９１ａの第１の枝電極１９２ａによる第５のフリンジフィールドＦ５の影響をさらに多く受けることになる。したがって、第１の副画素電極１９１ａと第２の副画素電極１９１ｂとの間の境界部分に位置する液晶分子は、第１の副画素電極１９１ａの第１の枝電極１９２ａ及び第２の副画素電極１９１ｂの第２の枝電極１９２ｂの長手方向と平行な方向に傾く。
【０２２３】
これにより、第１の副画素電極１９１ａと第２の副画素電極１９１ｂとの間に位置する第３の液晶分子３１ｃは、周りの第２の液晶分子３１ｂ及び第４の液晶分子３１ｄと平行な方向に傾き、これにより、液晶表示装置の輝度が増加される。
【０２２４】
第１の副画素電極１９１ａの第１の枝電極１９２ａに対応する第５の液晶分子３１ｅは、第１の枝電極１９２ａの周縁に発生する第５のフリンジフィールドＦ５の影響を受けて第５のフリンジフィールドＦ５の方向と平行に傾いた後に互いに衝突して、第１の枝電極１９２ａが延びている長手方向と平行な方向に傾く。
【０２２５】
また、第１の副画素電極１９１ａの第１の板状部分１９３ａに対応する第６の液晶分子３１ｆのうち第３の部分３１ｆ１及び第４の部分３１ｆ２は、共通電極２７０に形成されている十字状の切欠部２７１に加えられる第６のフリンジフィールドＦ６により切欠部２７１の周縁と垂直をなす方向に一次的に傾いて第６の液晶分子３１ｆのうち第３の部分３１ｆ１及び第４の部分３１ｆ２が接続されて変形が極力抑えられる方向に２次的に配列されるが、２次的な配列方向は、第３の部分３１ｆ１及び第４の部分３１ｆ２が向かう方向のベクトルの合計方向となる。したがって、第１の枝電極１９２ａが延びている長手方向と平行な方向に傾く。
【０２２６】
このように、本発明の実施形態による液晶表示装置によれば、相対的に高い電圧が印加される第１の副画素電極１９１ａを共通電極２７０の十字状の切欠部２７１の中心部分と重なり合うように中央部分に形成し、第１の副画素電極１９１ａの周縁に複数の第１の枝電極１９２ａを形成する。また、第１の副画素電極１９１ａの周縁に相対的に低い電圧が印加される第２の副画素電極１９１ｂを配設し、第２の副画素電極１９１ｂの周縁に複数の第２の枝電極１９２ｂを形成する。これとともに、第１の副画素電極１９１ａと第２の副画素電極１９１ｂとの間の第１の間隔ｄ１に応じて第１の副画素電極１９１ａ及び第２の副画素電極１９１ｂに印加される電圧の比を調節することにより、第１の副画素電極１９１ａと第２の副画素電極１９１ｂとの間の境界に位置する液晶分子が第１の副画素電極１９１ａに対応する液晶分子及び第２の副画素電極１９１ｂに対応する液晶分子と同じ方向に平行に傾くようにすることにより、液晶表示装置の輝度を増加させる。
【０２２７】
上述したように、第１の副画素電極１９１ａ及び第２の副画素電極１９１ｂの第１の枝電極１９２ａ及び第２の枝電極１９２ｂは、異なる方向に延びている複数の微細枝部１９４ａ、１９４ｂ、１９４ｃ、１９４ｄ、１９４ｅ、１９６ｆ、１９４ｇ、１９４ｈを有することにより、液晶分子は異なる方向に傾く。このため、液晶表示装置の視野角が広くなる。
【０２２８】
以下、図２３を参照して、本発明の第５の実験例の結果について説明する。図２３は、本発明の第５の実験例の結果を示す電子顕微鏡写真である。
【０２２９】
本実験例においては、第２の副画素電極１９１ｂの第２の板状部分１９３ｂの幅を第２の枝電極１９２ｂの長さに略等しく形成した場合と第２の副画素電極１９１ｂの第２の板状部分１９３ｂの幅を第２の枝電極１９２ｂの長さよりも短く形成した場合に、同じ電圧を印加した後に液晶表示装置の輝度の変化を電子顕微鏡にて観察したものを示す。
【０２３０】
図２３Ａは、図３に示す実施形態による液晶表示装置の基本電極を形成した場合の結果を示し、図２３Ｂは、図２２に示す実施形態による液晶表示装置の基本電極を形成した場合の結果を示す。
【０２３１】
図２３を参照すると、第２の副画素電極１９１ｂの第２の板状部分１９３ｂの幅を第２の枝電極１９２ｂの長さよりも短く形成することにより、第１の副画素電極１９１ａと第２の副画素電極１９１ｂとの間の境界に位置する液晶分子が傾く方向がさらに好適に制御可能であり、これにより、第１の副画素電極１９１ａと第２の副画素電極１９１ｂとの間の境界の近くにおいて輝度が増加することが分かる。
【０２３２】
以下、図２４を参照して、本発明の他の実施形態による液晶表示装置の電場生成電極の基本領域について説明する。図２４は、本発明の他の実施形態による液晶表示装置の電場生成電極の基本領域を示す平面図である。
【０２３３】
図２４に示すように、本発明の実施形態による液晶表示装置の電場生成電極の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【０２３４】
共通電極２７０の切欠部２７１は、平面視において、十字状を有してもよい。
【０２３５】
第１の副画素電極１９１ａの周縁には、複数の第１の枝電極１９２ａが形成されている。複数の第１の枝電極１９２ａは、ひし形を有する第１の板状部分１９３ａから延出している。すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【０２３６】
第１の副画素電極１９１ａの第１の板状部分１９３ａの中心部分は、共通電極２７０に形成されている十字状の切欠部２７１の中心部分と重なり合う。
【０２３７】
第１の副画素電極１９１ａの第１の枝電極１９２ａは、異なる方向に延びているものを有する。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【０２３８】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【０２３９】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【０２４０】
第１乃至第４の微細枝部１９４ａ、１９４ｂ、１９４ｃ、１９４ｄ及び第５乃至第８の微細枝部１９４ｅ、１９６ｆ、１９４ｇ、１９４ｈは、ゲート線１２１が延びている第１の方向Ｄ１と略４５°又は１３５°をなしてもよい。また、異なる方向に延びており、隣り合う２つの微細枝部１９４ａ、１９４ｂ、１９４ｃ、１９４ｄ、１９４ｅ、１９６ｆ、１９４ｇ、１９４ｈは、互いに直交してもよい。
【０２４１】
本発明の実施形態による液晶表示装置の基本電極１９９は、第２の副画素電極１９１ｂの第２の板状部分１９３ｂと第２の枝電極１９２ｂとの間の境界部Ｐ１の部分に拡張された切欠部を有する。このため、基本電極１９９の第２の副画素電極１９１ｂの第２の板状部分１９３ｂと第２の枝電極１９２ｂとの間の境界部Ｐ１において、第２の副画素電極１９１ｂの第２の枝電極１９２ｂの幅が狭くなる。また、第１の副画素電極１９１ａの第１の枝電極１９２ａの先端ＰＰ１において、第１の枝電極１９２ａの幅が広くなる。したがって、第２の副画素電極１９１ｂの第２の板状部分１９３ｂと第２の枝電極１９２ｂとの間の第１の境界部Ｐ１及び第１の副画素電極１９１ａの第１の枝電極１９２ａの先端ＰＰ１において第２の枝電極１９２ｂ及び第１の枝電極１９２ａによるフリンジフィールドの影響を強化させて、第１の副画素電極１９１ａと第２の副画素電極１９１ｂとの間の境界部分に位置する液晶分子は、第１の副画素電極１９１ａの第１の枝電極１９２ａ及び第２の副画素電極１９１ｂの第２の枝電極１９２ｂの長手方向と平行な方向に傾く。
【０２４２】
以下、図２５を参照して、本発明の他の実施形態による液晶表示装置の電場生成電極の基本領域について説明する。図２４は、本発明の他の実施形態による液晶表示装置の電場生成電極の基本領域を示す平面図である。
【０２４３】
図２５に示すように、本発明の実施形態による液晶表示装置の電場生成電極の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【０２４４】
共通電極２７０の切欠部２７１は、平面視において、十字状を有してもよい。
【０２４５】
第１の副画素電極１９１ａは、枝電極を備えず、第１の板状部分１９３ａからなる。第１の副画素電極１９１ａの第１の板状部分１９３ａは、ひし形を有する。
【０２４６】
第１の副画素電極１９１ａの第１の板状部分１９３ａの中心部分は、共通電極２７０に形成されている十字状の切欠部２７１の中心部分と重なり合う。
【０２４７】
第２の副画素電極１９１ｂは、第１の副画素電極１９１ａを取り囲んでいる第２の板状部分１９３ｂ及び第２の板状部分１９３ｂを取り囲んでおり、第２の板状部分１９３ｂから延出している複数の第２の枝電極１９２ｂを備える。
【０２４８】
第２の副画素電極１９１ｂの第２の板状部分１９３ｂは、第１の副画素電極１９１ａの外郭に配設される４つの四角形が合わせられている平面状を有する。当該四角形は、台形であってもよい。第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【０２４９】
第５乃至第８の微細枝部１９４ｅ、１９６ｆ、１９４ｇ、１９４ｈは、ゲート線１２１が延びている第１の方向Ｄ１と略４５°又は１３５°をなしてもよい。また、異なる方向に延びており、隣り合う２つの微細枝部１９４ｅ、１９６ｆ、１９４ｇ、１９４ｈは、互いに直交してもよい。
【０２５０】
本発明の実施形態による液晶表示装置は、図３に示す実施形態による液晶表示装置とは異なり、第２の副画素電極１９１ｂと隣り合う第１の副画素電極１９１ａは、板状を有する。このため、第１の副画素電極１９１ａと第２の副画素電極１９１ｂとの間の境界部に位置する液晶分子は、第１の副画素電極１９１ａによるフリンジフィールドの影響をさらに多く受けることになる。
【０２５１】
これについて、図２６を参照してさらに詳しく説明する。図２６は、本発明の他の実施形態による液晶表示装置の液晶分子の方向子の配列方向を示す断面図である。
【０２５２】
図２６を参照すると、第２の副画素電極１９１ｂの第２の枝電極１９２ｂの周縁と垂直をなす方向に第１のフリンジフィールドＦ１が発生し、これにより、第２の枝電極１９２ｂの周りに位置する第１の液晶分子３１ａは、第１のフリンジフィールドＦ１の方向と平行に傾いた後に互いに衝突して、第２の枝電極１９２ｂが延びている長手方向と平行な方向に傾く。
【０２５３】
第２の副画素電極１９１ｂの第２の板状部分１９３ｂの周縁のうち第２の枝電極１９２ｂと隣り合う第１の周縁に位置する第２の液晶分子３１ｂは、第２の板状部分１９３ｂの第１の周縁に発生する第２のフリンジフィールドＦ２の影響を受けて第２の板状部分１９３ｂの第１の周縁と垂直をなす方向に傾き、この方向は、第１の液晶分子３１ａが傾く方向と同様である。
【０２５４】
第２の副画素電極１９１ｂの第２の板状部分１９３ｂの周縁のうち第１の副画素電極１９１ａと隣り合う第２の周縁には第３のフリンジフィールドＦ３が発生し、第２の副画素電極１９１ｂの第２の板状部分１９３ｂの周縁のうち第１の副画素電極１９１ａと隣り合う第２の周縁と隣り合う第３の液晶分子３１ｃの第１の部分３１ｃ１は第３のフリンジフィールドＦ３の影響を受けて、第２の板状部分１９３ｂの第２の周縁と垂直をなす方向に傾く。この方向は、第１の液晶分子３１ａ及び第２の液晶分子３１ｂが傾く方向と反対である。
【０２５５】
また、第１の副画素電極１９１ａの第１の板状部分１９３ａに対応する第６の液晶分子３１ｆのうち第３の部分３１ｆ１及び第４の部分３１ｆ２は、共通電極２７０に形成されている十字状の切欠部２７１に加えられる第６のフリンジフィールドＦ６により切欠部２７１の周縁と垂直をなす方向に一次的に傾いていて第６の液晶分子３１ｆのうち第３の部分３１ｆ１及び第４の部分３１ｆ２が接続されて変形が極力抑えられる方向に２次的に配列されるが、２次的な配列方向は、第３の部分３１ｆ１及び第４の部分３１ｆ２が向かう方向のベクトルの合計方向となる。このため、第２の枝電極１９２ｂが延びている長手方向と平行な方向に傾く。
【０２５６】
第１の副画素電極１９１ａに加えられる電圧は、第２の副画素電極１９１ｂに加えられる電圧よりも大きい。このため、第１の副画素電極１９１ａと共通電極２７０との間の電位差は、第２の副画素電極１９１ｂと共通電極２７０との間の電位差よりも大きくなる。したがって、第６のフリンジフィールドＦ６の大きさは、第３のフリンジフィールドＦ３の大きさよりも大きい。さらに、第２の副画素電極１９１ｂと隣り合う部分において第１の副画素電極１９１ａは板状を有するため、第１の副画素電極１９１ａによる第６のフリンジフィールドＦ６の影響力はさらに大きくなる。
【０２５７】
このため、第１の副画素電極１９１ａと第２の副画素電極１９１ｂとの間に位置する第３の液晶分子３１ｃの第１の部分３１ｃ１は、第３のフリンジフィールドＦ３よりも第６のフリンジフィールドＦ６の影響を受けて、第２の枝電極１９２ｂが延びている長手方向と平行な方向に傾く。これにより、第３のフリンジフィールドＦ３の影響を受けて第３のフリンジフィールドＦ３と垂直をなす方向に傾こうとする第３の液晶分子３１ｃの第１の部分３１ｃ１も第６のフリンジフィールドＦ６の影響を受ける第３の液晶分子３１ｃの第２の部分３１ｃ２と平行に傾く。
【０２５８】
これにより、第１の副画素電極１９１ａと第２の副画素電極１９１ｂとの間の境界に位置する液晶分子が第１の副画素電極１９１ａに対応する液晶分子及び第２の副画素電極１９１ｂに対応する液晶分子と同じ方向に平行に傾くようにすることにより、液晶表示装置の輝度を増加させる。
【０２５９】
以下、図２７を参照して、本発明の他の実施形態による液晶表示装置の電場生成電極の基本領域について説明する。図２７は、本発明の他の実施形態による液晶表示装置の電場生成電極の基本領域を示す平面図である。
【０２６０】
図２７に示すように、本発明の実施形態による液晶表示装置の電場生成電極の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【０２６１】
共通電極２７０の切欠部２７１は、平面視において、十字状を有してもよい。
【０２６２】
第１の副画素電極１９１ａの周縁には、複数の第１の枝電極１９２ａが形成されている。複数の第１の枝電極１９２ａは、ひし形を有する第１の板状部分１９３ａから延出している。すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【０２６３】
第１の副画素電極１９１ａの第１の板状部分１９３ａの中心部分は、共通電極２７０に形成されている十字状の切欠部２７１の中心部分と重なり合う。
【０２６４】
第１の副画素電極１９１ａの第１の枝電極１９２ａは、異なる方向に延びているものを有する。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【０２６５】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【０２６６】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【０２６７】
第１乃至第４の微細枝部１９４ａ、１９４ｂ、１９４ｃ、１９４ｄ及び第５乃至第８の微細枝部１９４ｅ、１９６ｆ、１９４ｇ、１９４ｈは、ゲート線１２１が延びている第１の方向Ｄ１と略４５°又は１３５°をなしてもよい。また、異なる方向に延びており、隣り合う２つの微細枝部１９４ａ、１９４ｂ、１９４ｃ、１９４ｄ、１９４ｅ、１９６ｆ、１９４ｇ、１９４ｈは、互いに直交してもよい。
【０２６８】
本発明の実施形態による液晶表示装置の基本電極１９９は、図３に示す実施形態による液晶表示装置の基本電極１９９に比べて、第１の副画素電極１９１ａと第２の副画素電極１９１ｂとの間の第２の間隔ｄ２が狭い。より具体的に、第１の副画素電極１９１ａと第２の副画素電極１９１ｂとの間の第２の間隔ｄ２は、約３μｍよりも小さいことが好ましい。
【０２６９】
このように、第１の副画素電極１９１ａと第２の副画素電極１９１ｂとの間の第２の間隔ｄ２が狭いため、第１の副画素電極１９１ａと第２の副画素電極１９１ｂとの間の境界部分に位置する液晶分子は、第２の副画素電極１９１ｂの第２の板状部分１９３ｂによるフリンジフィールドよりも第１の副画素電極１９１ａの第１の枝電極１９２ａによるフリンジフィールドの影響をさらに多く受けることになる。このため、第１の副画素電極１９１ａと第２の副画素電極１９１ｂとの間の境界部分に位置する液晶分子は、第１の副画素電極１９１ａの第１の枝電極１９２ａ及び第２の副画素電極１９１ｂの第２の枝電極１９２ｂの長手方向と平行な方向に傾く。
【０２７０】
これについて、図２８を参照してさらに詳しく説明する。図２８は、本発明の他の実施形態による液晶表示装置の液晶分子の方向子の配列方向を示す断面図である。
【０２７１】
図２８を参照すると、第２の副画素電極１９１ｂの第２の枝電極１９２ｂの周縁と垂直をなす方向に第１のフリンジフィールドＦ１が発生し、これにより、第２の枝電極１９２ｂの周りに位置する第１の液晶分子３１ａは、第１のフリンジフィールドＦ１の方向と平行に傾いた後に互いに衝突して、第２の枝電極１９２ｂが延びている長手方向と平行な方向に傾く。
【０２７２】
第２の副画素電極１９１ｂの第２の板状部分１９３ｂの周縁のうち第２の枝電極１９２ｂと隣り合う第１の周縁に位置する第２の液晶分子３１ｂは、第２の板状部分１９３ｂの第１の周縁に発生する第２のフリンジフィールドＦ２の影響を受けて第２の板状部分１９３ｂの第１の周縁と垂直をなす方向に傾き、この方向は、第１の液晶分子３１ａが傾く方向と同様である。
【０２７３】
第２の副画素電極１９１ｂの第２の板状部分１９３ｂの周縁のうち第１の副画素電極１９１ａと隣り合う第２の周縁には第３のフリンジフィールドＦ３が発生し、第２の副画素電極１９１ｂの第２の板状部分１９３ｂの周縁のうち第１の副画素電極１９１ａと隣り合う第２の周縁と隣り合う第３の液晶分子３１ｃは第３のフリンジフィールドＦ３の影響を受けて、第２の板状部分１９３ｂの第２の周縁と垂直をなす方向に傾く。この方向は、第１の液晶分子３１ａ及び第２の液晶分子３１ｂが傾く方向と反対である。
【０２７４】
また、第１の副画素電極１９１ａの第１の枝電極１９２ａの周縁のうち第２の副画素電極１９１ｂの第２の板状部分１９３ｂと隣り合う第３の周縁には第４のフリンジフィールドＦ４が発生し、第１の枝電極１９２ａの第３の周縁と隣り合う第４の液晶分子３１ｄは第４のフリンジフィールドＦ４と垂直をなす方向に傾く。この方向は、第１の液晶分子３１ａ及び第２の液晶分子３１ｂが傾く方向と同様である。
【０２７５】
上述したように、第１の副画素電極１９１ａに加えられる電圧は、第２の副画素電極１９１ｂに加えられる電圧よりも大きい。このため、第１の副画素電極１９１ａと共通電極２７０との間の電位差は、第２の副画素電極１９１ｂと共通電極２７０との間の電位差よりも大きく、これにより、第４のフリンジフィールドＦ４の大きさは、第３のフリンジフィールドＦ３の大きさよりも大きい。さらに、第１の副画素電極１９１ａと第２の副画素電極１９１ｂとの間の第２の間隔ｄ２をさらに狭く形成することにより、第１の副画素電極１９１ａと第２の副画素電極１９１ｂとの間に位置する液晶分子に加えられる第４のフリンジフィールドＦ４の影響力がさらに大きくなる。したがって、第１の副画素電極１９１ａと隣り合う第２の周縁と隣り合う第３の液晶分子３１ｃは第４のフリンジフィールドＦ４の影響を受けて、第４のフリンジフィールドＦ４と垂直をなす方向に傾く。これにより、第３のフリンジフィールドＦ３の影響を受けて第３のフリンジフィールドＦ３と垂直をなす方向に傾こうとする第３の液晶分子３１ｃも第４のフリンジフィールドＦ４の影響を受けて第４の液晶分子３１ｄと平行に傾く。これにより、第１の副画素電極１９１ａと第２の副画素電極１９１ｂとの間に位置する第３の液晶分子３１ｃは、周りの第２の液晶分子３１ｂと第４の液晶分子３１ｄと平行な方向に傾き、これにより、液晶表示装置の輝度が増加される。もし、第１の副画素電極１９１ａと第２の副画素電極１９１ｂとの間の境界部分に位置する液晶分子の傾く方向が、第１の副画素電極１９１ａ及び第２の副画素電極１９１ｂに対応する領域に位置する液晶分子の傾く方向とは異なる場合、第１の副画素電極１９１ａと第２の副画素電極１９１ｂとの間の境界部分は、第１の副画素電極１９１ａ及び第２の副画素電極１９１ｂよりも暗く表示され、液晶表示装置の全体の輝度が減少する。
【０２７６】
第１の副画素電極１９１ａの第１の枝電極１９２ａに対応する第５の液晶分子３１ｅは、第１の枝電極１９２ａの周縁に発生する第５のフリンジフィールドＦ５の影響を受けて第５のフリンジフィールドＦ５の方向と平行に傾いた後に互いに衝突して、第１の枝電極１９２ａが延びている長手方向と平行な方向に傾く。
【０２７７】
また、第１の副画素電極１９１ａの第１の板状部分１９３ａに対応する第６の液晶分子３１ｆのうち第３の部分３１ｆ１及び第４の部分３１ｆ２は、共通電極２７０に形成されている十字状の切欠部２７１に加えられる第６のフリンジフィールドＦ６により切欠部２７１の周縁と垂直をなす方向に一次的に傾いていて第６の液晶分子３１ｆのうち第３の部分３１ｆ１及び第４の部分３１ｆ２が接続されて変形が極力抑えられる方向に２次的に配列されるが、２次的な配列方向は、第３の部分３１ｆ１及び第４の部分３１ｆ２が向かう方向のベクトルの合計方向となる。したがって、第１の枝電極１９２ａが延びている長手方向と平行な方向に傾く。
【０２７８】
このように、本発明の実施形態による液晶表示装置によれば、相対的に高い電圧が印加される第１の副画素電極１９１ａを共通電極２７０の十字状の切欠部２７１の中心部分と重なり合うように中央部分に形成し、第１の副画素電極１９１ａの周縁に複数の第１の枝電極１９２ａを形成する。また、第１の副画素電極１９１ａの周縁に相対的に低い電圧が印加される第２の副画素電極１９１ｂを配設し、第２の副画素電極１９１ｂの周縁に複数の第２の枝電極１９２ｂを形成する。これとともに、第１の副画素電極１９１ａと第２の副画素電極１９１ｂとの間の第１の間隔ｄ１に応じて第１の副画素電極１９１ａ及び第２の副画素電極１９１ｂに印加される電圧の比を調節することにより、第１の副画素電極１９１ａと第２の副画素電極１９１ｂとの間の境界に位置する液晶分子が第１の副画素電極１９１ａに対応する液晶分子及び第２の副画素電極１９１ｂに対応する液晶分子と同じ方向に平行に傾くようにすることにより、液晶表示装置の輝度を増加させる。
【０２７９】
上述したように、第１の副画素電極１９１ａ及び第２の副画素電極１９１ｂの第１の枝電極１９２ａ及び第２の枝電極１９２ｂは、異なる方向に延びている複数の微細枝部１９４ａ、１９４ｂ、１９４ｃ、１９４ｄ、１９４ｅ、１９６ｆ、１９４ｇ、１９４ｈを有することにより、液晶分子は異なる方向に傾く。このため、液晶表示装置の視野角が広くなる。
【０２８０】
以下、図２９及び図３０を参照して、本発明の他の実施形態による液晶表示装置について説明する。図２９は、本発明の他の実施形態による液晶表示装置の電場生成電極の基本領域を示す平面図であり、図３０は、本発明の他の実施形態による液晶表示装置の電場生成電極の一部を示す断面図であり、図２９のＸＸＩＸ-ＸＸＩＸ’線に沿って切り取った断面図である。
【０２８１】
図２９及び図３０を参照すると、本発明の実施形態による液晶表示装置の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【０２８２】
共通電極２７０の切欠部２７１は、平面視において、十字状を有してもよい。
【０２８３】
第１の副画素電極１９１ａの周縁には、複数の第１の枝電極１９２ａが形成されている。複数の第１の枝電極１９２ａは、ひし形を有する第１の板状部分１９３ａから延出している。すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【０２８４】
第１の副画素電極１９１ａの第１の板状部分１９３ａの中心部分は、共通電極２７０に形成されている十字状の切欠部２７１の中心部分と重なり合う。
【０２８５】
第１の副画素電極１９１ａの第１の枝電極１９２ａは、異なる方向に延びているものを有する。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【０２８６】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【０２８７】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【０２８８】
第１乃至第４の微細枝部１９４ａ、１９４ｂ、１９４ｃ、１９４ｄ及び第５乃至第８の微細枝部１９４ｅ、１９６ｆ、１９４ｇ、１９４ｈは、ゲート線１２１が延びている第１の方向Ｄ１と略４５°又は１３５°をなしてもよい。また、異なる方向に延びており、隣り合う２つの微細枝部１９４ａ、１９４ｂ、１９４ｃ、１９４ｄ、１９４ｅ、１９６ｆ、１９４ｇ、１９４ｈは、互いに直交してもよい。
【０２８９】
第１の副画素電極１９１ａ及び第２の副画素電極１９１ｂの下に配設される絶縁膜９０、例えば、カラーフィルター２３０などの有機絶縁膜、保護膜１８０、ゲート絶縁膜１４０などの絶縁膜９０は、第２の副画素電極１９１ｂの第２の枝電極１９２ｂ及び第２の副画素電極１９１ｂの第２の板状部分１９３ｂの一部分Ｑ１において相対的に低い高さを有する。より具体的に、第１の副画素電極１９１ａ及び第２の副画素電極１９１ｂの下に配設される絶縁膜９０のうち第２の副画素電極１９１ｂの第２の枝電極１９２ｂ及び第２の副画素電極１９１ｂの第２の板状部分１９３ｂの一部分に対応する部分の高さは、第２の副画素電極１９１ｂの第２の板状部分１９３ｂの残りの部分及び第１の副画素電極１９１ａに対応する部分の高さよりも低い。
【０２９０】
このため、第２の板状部分１９３ｂの周縁のうち第１の副画素電極１９１ａと隣り合う周縁の近くに位置する液晶分子は、絶縁膜９０の段差の影響により傾く方向が変化する。より具体的に、第２の板状部分１９３ｂの周縁のうち第１の副画素電極１９１ａと隣り合う周縁の近くに位置する液晶分子は、絶縁膜９０の段差の影響により第２の板状部分１９３ｂの周縁と垂直をなす方向に沿って第１の副画素電極１９１ａに向かって傾く。この方向は、第１の副画素電極１９１ａ及び第２の副画素電極１９１ｂの第１の枝電極１９２ａ及び第２の枝電極１９２ｂの長手方向と平行な方向である。
【０２９１】
したがって、第１の副画素電極１９１ａと第２の副画素電極１９１ｂとの間の境界に位置する液晶分子が第１の副画素電極１９１ａに対応する液晶分子及び第２の副画素電極１９１ｂに対応する液晶分子と同じ方向に平行に傾くようにすることにより、液晶表示装置の輝度を増加させる。
【０２９２】
以下、図２９及び図３１を参照して、本発明の他の実施形態による液晶表示装置について説明する。図３１は、本発明の他の実施形態による液晶表示装置の電場生成電極の一部を示す断面図であり、図２９のＸＸＩＸ-ＸＸＩＸ’線に沿って切り取った断面図である。
【０２９３】
図２９及び図３１を参照すると、本発明の実施形態による液晶表示装置の基本電極１９９の特徴は、図２９及び図３０を参照して説明した実施形態による液晶表示装置の基本電極１９９の特徴と同様である。
【０２９４】
しかしながら、本発明の実施形態による液晶表示装置の基本電極１９９は、図２９及び図３０を参照して説明した実施形態による液晶表示装置の基本電極１９９とは異なり、第１の副画素電極１９１ａ及び第２の副画素電極１９１ｂの下に配設される絶縁膜９０は、第２の副画素電極１９１ｂの第２の枝電極１９２ｂ及び第２の副画素電極１９１ｂの第２の板状部分１９３ｂの一部分において相対的に低い高さを有するだけではなく、絶縁膜９０の表面がなす傾斜の角度が異なる複数の領域を備える。より具体的に、第１の副画素電極１９１ａ及び第２の副画素電極１９１ｂの下に配設される絶縁膜９０のうち第２の副画素電極１９１ｂの第２の枝電極１９２ｂ及び第２の副画素電極１９１ｂの第２の板状部分１９３ｂの一部分に対応する部分の高さは、第２の副画素電極１９１ｂの第２の板状部分１９３ｂの残りの部分及び第１の副画素電極１９１ａに対応する部分の高さよりも低く、絶縁膜９０の表面が第１の基板１１０の表面となす傾斜の角度が異なる第１の領域Ｒ１と、第２の領域Ｒ２及び第３の領域Ｒ３を備える。基本電極１９９の最外郭の周縁から、第１の傾斜を有する第１の領域Ｒ１と、第２の傾斜を有する第２の領域Ｒ２及び第３の傾斜を有する第３の領域Ｒ３を備え、第３の傾斜角度が最も大きく、第２の傾斜角度に比べて第１の傾斜角度がさらに大きい。このように絶縁膜９０の表面が第１の基板１１０の表面となす傾斜の角度を異ならせて形成することにより、第１の領域Ｒ１及び第２の領域Ｒ２の液晶分子は、絶縁膜９０の段差による影響よりは第２の副画素電極１９１ｂの平面形状によるフリンジフィールドの影響をさらに多く受け、第１の副画素電極１９１ａと第２の副画素電極１９１ｂとの間の境界部と近い第３の領域Ｒ３の液晶分子は、絶縁膜９０の段差による影響を相対的に大きく受ける。
【０２９５】
このため、第２の板状部分１９３ｂの周縁のうち第１の副画素電極１９１ａと隣り合う周縁の近くに位置する液晶分子は、第３の領域Ｒ３における絶縁膜９０の段差の影響により傾く方向が変化する。より具体的に、第２の板状部分１９３ｂの周縁のうち第１の副画素電極１９１ａと隣り合う周縁の近くに位置する液晶分子は、絶縁膜９０の段差の影響により第２の板状部分１９３ｂの周縁と垂直をなす方向に沿って第１の副画素電極１９１ａに向かって傾く。この方向は、第１の副画素電極１９１ａ及び第２の副画素電極１９１ｂの第１の枝電極１９２ａ及び第２の枝電極１９２ｂの長手方向と平行な方向である。
【０２９６】
したがって、第１の副画素電極１９１ａと第２の副画素電極１９１ｂとの間の境界に位置する液晶分子が第１の副画素電極１９１ａに対応する液晶分子及び第２の副画素電極１９１ｂに対応する液晶分子と同じ方向に平行に傾くようにすることにより、液晶表示装置の輝度を増加させる。
【０２９７】
以下、図３２及び図３３を参照して、本発明の他の実施形態による液晶表示装置について説明する。図３２は、本発明の他の実施形態による液晶表示装置の電場生成電極の基本領域を示す平面図であり、図３３は、本発明の他の実施形態による液晶表示装置の電場生成電極の一部を示す断面図であり、図３２のＸＸＩＩ-ＸＸＩＩ’線に沿って切り取った断面図である。
【０２９８】
図３２及び図３３を参照すると、本発明の実施形態による液晶表示装置の基本電極１９９は、共通電極２７０の切欠部２７１と向かい合う第１の副画素電極１９１ａ及び第２の副画素電極１９１ｂを有する画素電極１９１からなる。第２の副画素電極１９１ｂは、第１の副画素電極１９１ａを取り囲むように形成されている。
【０２９９】
共通電極２７０の切欠部２７１は、平面視において、十字状を有してもよい。
【０３００】
第１の副画素電極１９１ａの周縁には、複数の第１の枝電極１９２ａが形成されている。複数の第１の枝電極１９２ａは、ひし形を有する第１の板状部分１９３ａから延出している。すなわち、第１の副画素電極１９１ａは、中央に配設される第１の板状部分１９３ａ及び第１の板状部分１９３ａを取り囲んでおり、第１の板状部分１９３ａから延出している複数の第１の枝電極１９２ａを備える。
【０３０１】
第１の副画素電極１９１ａの第１の板状部分１９３ａの中心部分は、共通電極２７０に形成されている十字状の切欠部２７１の中心部分と重なり合う。
【０３０２】
第１の副画素電極１９１ａの第１の枝電極１９２ａは、異なる方向に延びているものを有する。より具体的に、第１の板状部分１９３ａから左上方に斜めに延びている複数の第１の微細枝部１９４ａと、右上方に斜めに延びている複数の第２の微細枝部１９４ｂと、左下方に延びている複数の第３の微細枝部１９４ｃ及び右下方に斜めに延びている複数の第４の微細枝部１９４ｄを備える。
【０３０３】
第２の副画素電極１９１ｂは、第１の副画素電極１９１ａの複数の第１の枝電極１９２ａを取り囲んでいる第２の板状部分１９３ｂ及び第２の板状部分１９３ｂを取り囲んでおり、第２の板状部分１９３ｂから延出している複数の第２の枝電極１９２ｂを備える。
【０３０４】
第２の副画素電極１９１ｂの第２の板状部分１９３ｂは、第１の副画素電極１９１ａの第１乃至第４の微細枝部１９４ａ、１９４ｂ、１９４ｃ、１９４ｄの外郭に配設される４つの四角形が合わせられている平面状を有する。当該四角形は、台形であってもよい。第１の副画素電極１９１ａの第１の枝電極１９２ａと同様に、第２の副画素電極１９１ｂの複数の第２の枝電極１９２ｂは、第２の板状部分１９３ｂから左上方に斜めに延びている複数の第５の微細枝部１９４ｅと、右上方に斜めに延びている複数の第６の微細枝部１９４ｆと、左下方に延びている複数の第７の微細枝部１９４ｇ及び右下方に斜めに延びている複数の第８の微細枝部１９４ｈを備える。
【０３０５】
第１乃至第４の微細枝部１９４ａ、１９４ｂ、１９４ｃ、１９４ｄ及び第５乃至第８の微細枝部１９４ｅ、１９６ｆ、１９４ｇ、１９４ｈは、ゲート線１２１が延びている第１の方向Ｄ１と略４５°又は１３５°をなしてもよい。また、異なる方向に延びており、隣り合う２つの微細枝部１９４ａ、１９４ｂ、１９４ｃ、１９４ｄ、１９４ｅ、１９６ｆ、１９４ｇ、１９４ｈは、互いに直交してもよい。
【０３０６】
第１の副画素電極１９１ａ及び第２の副画素電極１９１ｂの下に配設される絶縁膜９０、例えば、カラーフィルター２３０などの有機絶縁膜、保護膜１８０、ゲート絶縁膜１４０などの絶縁膜９０は、第２の副画素電極１９１ｂの全体及び第１の副画素電極１９１ａの第１の枝電極１９２ａの先端の部分Ｑ２において相対的に低い高さを有する。より具体的に、第１の副画素電極１９１ａ及び第２の副画素電極１９１ｂの下に配設される絶縁膜９０のうち第２の副画素電極１９１ｂの全体及び第１の副画素電極１９１ａの第１の枝電極１９２ａの先端に対応する部分Ｑ２の高さは、第１の副画素電極１９１ａの残りの部分に対応する部分の高さよりも低い。
【０３０７】
このため、第１の副画素電極１９１ａの第１の枝電極１９２ａの先端の部分に位置する液晶分子は、第１の枝電極１９２ａによるフリンジフィールドの影響だけではなく、絶縁膜９０の段差の影響により傾く方向が変化する。より具体的に、第１の副画素電極１９１ａの第１の枝電極１９２ａの先端の部分に位置する液晶分子は、絶縁膜９０の段差の影響により第１の副画素電極１９１ａの第１の枝電極１９２ａの長手方向と平行な方向に傾く。
【０３０８】
このように、第１の副画素電極１９１ａの第１の枝電極１９２ａの先端の部分に位置する液晶分子が第１の副画素電極１９１ａの第１の枝電極１９２ａの長手方向と平行な方向に傾く傾向が大きくなるため、第１の副画素電極１９１ａと第２の副画素電極１９１ｂとの間の境界に位置する液晶分子は、第１の副画素電極１９１ａの第１の枝電極１９２ａの先端の部分に位置する液晶分子の影響を大きく受けることになる。したがって、第１の副画素電極１９１ａと第２の副画素電極１９１ｂとの間の境界に位置する液晶分子は、第１の副画素電極１９１ａに対応する液晶分子及び第２の副画素電極１９１ｂに対応する液晶分子と同じ方向に平行に傾く。
【０３０９】
このように、第１の副画素電極１９１ａと第２の副画素電極１９１ｂとの間の境界に位置する液晶分子は、第１の副画素電極１９１ａに対応する液晶分子及び第２の副画素電極１９１ｂに対応する液晶分子と同じ方向に平行に傾くようにすることにより、液晶表示装置の輝度を増加させる。
【０３１０】
以下、図３４を参照して、本発明の第５の実験例について説明する。図３４は、本発明の第５の実験例の結果を示す電子顕微鏡写真である。
【０３１１】
本実験例においては、図３に示す実施形態による液晶表示装置の基本電極を形成した場合及び図２９及び図３０９に示す実施形態による液晶表示装置の基本電極を形成した場合に対し、同じ電圧を印加した後に液晶表示装置の輝度の変化を電子顕微鏡にて観察して示す。
【０３１２】
図３４Ａは、図３に示す実施形態による液晶表示装置の基本電極を形成した場合の結果を示し、図３４Ｂは、図２９及び図３０に示す実施形態による液晶表示装置の基本電極を形成した場合の結果を示す。
【０３１３】
図３４を参照すると、第１の副画素電極１９１ａ及び第２の副画素電極１９１ｂの下に配設される絶縁膜９０の高さを変化させて段差を形成することにより、電位差によるフリンジフィールドの大きさだけではなく、段差による影響により液晶分子が傾く方向を調節することにより、第１の副画素電極１９１ａと第２の副画素電極１９１ｂとの間の境界に位置する液晶分子が傾く方向がさらに好適に制御可能であり、これにより、第１の副画素電極１９１ａと第２の副画素電極１９１ｂとの間の境界の近くにおいて輝度が増加されることが分かる。
【０３１４】
以上、本発明の好適な実施形態について詳細に説明したが、本発明の権利範囲はこれに何ら限定されるものではなく、下記の特許請求の範囲において定義している本発明の基本概念を用いた当業者の種々の変形及び改良形態もまた本発明の権利範囲に属する。
【図１】
2015210526.tif 000003
【図２】
2015210526.tif 000004
【図３】
2015210526.tif 000005
【図４】
2015210526.tif 000006
【図５】
2015210526.tif 000007
【図１５】
2015210526.tif 000008
【図１６】
2015210526.tif 000009
【図１７】
2015210526.tif 000010
【図１８】
2015210526.tif 000011
【図１９】
2015210526.tif 000012
【図２０】
2015210526.tif 000013
【図２１】
2015210526.tif 000014
【図２２】
2015210526.tif 000015
【図２４】
2015210526.tif 000016
【図２５】
2015210526.tif 000017
【図２６】
2015210526.tif 000018
【図２７】
2015210526.tif 000019
【図２８】
2015210526.tif 000020
【図２９】
2015210526.tif 000021
【図３０】
2015210526.tif 000022
【図３１】
2015210526.tif 000023
【図３２】
2015210526.tif 000024
【図３３】
2015210526.tif 000025
【図６】
2015210526.tif 000026
【図７】
2015210526.tif 000027
【図８】
2015210526.tif 000028
【図９】
2015210526.tif 000029
【図１０】
2015210526.tif 000030
【図１１】
2015210526.tif 000031
【図１２】
2015210526.tif 000032
【図１３】
2015210526.tif 000033
【図１４】
2015210526.tif 000034
【図２３】
2015210526.tif 000035
【図３４】
2015210526.tif 000036